(57)【要約】【課題】基地局が未使用のＥ−ＲＮＴＩを除去（又は解放）できるようにし、Ｃｅｌｌ＿ＦＡＣＨ状態のユーザ装置のためのアップリンク・チャネルとダウンリンク・チャネルの関係を基地局に気付かせる。【解決手段】デバイス（１２４）は、セル・フォワード・アクセス・チャネル（Ｃｅｌｌ＿ＦＡＣＨ）状態のユーザ装置（１１０）への拡張専用チャネル無線ネットワーク一時ＩＤ（Ｅ−ＲＮＴＩ）（４６０）の割り振りに関する情報を受信し、ユーザ装置（１１０）に関連する状態変化（５２０）に関する情報を受信する。このデバイス（１２４）は、状態変化（５２０）に基づいてＥ−ＲＮＴＩ（４６０）を解放できると判断し、状態変化（５２０）に応答してＥ−ＲＮＴＩ（４６０）を解放し、その結果、他のユーザ装置（１１０）がＥ−ＲＮＴＩ（４６０）を使用できるようにするための要求（５３０）を他のデバイス（１２２）に提供する。【選択図】図８
2011517185.tif 000002
【特許請求の範囲】
【請求項１】
複数の命令を保管するためのメモリ（３１４）と、
処理装置（３１２）であって、
セル・フォワード・アクセス・チャネル（Ｃｅｌｌ＿ＦＡＣＨ）状態のユーザ装置（１１０）への拡張専用チャネル無線ネットワーク一時ＩＤ（Ｅ−ＲＮＴＩ）（４６０）の割り振りに関する情報を受信し、
前記ユーザ装置（１１０）に関連する状態変化（５２０）に関する情報を受信し、
前記状態変化（５２０）に基づいて前記Ｅ−ＲＮＴＩ（４６０）を解放できると判断し、
前記状態変化（５２０）に応答して前記Ｅ−ＲＮＴＩ（４６０）を解放し、その結果、他のユーザ装置（１１０）が前記Ｅ−ＲＮＴＩ（４６０）を使用できるようにするための要求（５３０）を他のデバイス（１２２）に提供する
ために前記メモリ内の命令を実行する処理装置（３１２）と、
を含む、デバイス（１２４）。
【請求項２】
前記処理装置（３１２）が、
前記他のデバイス（１２２）から前記Ｅ−ＲＮＴＩ（４６０）の解放の確認応答を受信する
ために前記メモリ内の命令をさらに実行する、請求項１記載のデバイス（１２４）。
【請求項３】
前記処理装置（３１２）が、
ノードＢアプリケーション部（ＮＢＡＰ）を使用して前記Ｅ−ＲＮＴＩ（４６０）を解放するための前記要求（５３０）を前記他のデバイス（１２２）に提供する
ために前記メモリ（３１４）内の命令をさらに実行する、請求項１記載のデバイス（１２４）。
【請求項４】
前記デバイス（１２４）が無線ネットワーク・コントローラ（ＲＮＣ）を含み、前記他のデバイス（１２２）が基地局（ＢＳ）を含む、請求項１記載のデバイス（１２４）。
【請求項５】
前記処理装置（３１２）が、
高速ダウンリンク共用チャネル無線ネットワーク・トランザクションＩＤ（Ｈ−ＲＮＴＩ）（６２０）と前記Ｅ−ＲＮＴＩ（４６０）とを含むメッセージを生成し、
前記他のデバイス（１２２）に前記メッセージを提供する
ために前記メモリ（３１４）内の命令をさらに実行する、請求項１記載のデバイス（１２４）。
【請求項６】
前記Ｈ−ＲＮＴＩ（６２０）が前記Ｅ−ＲＮＴＩ（４６０）のピアである、請求項５記載のデバイス（１２４）。
【請求項７】
第１のデバイス（１２２）と第２のデバイス（１２４）とを含み、前記第１のデバイス（１２２）がセル・フォワード・アクセス・チャネル（Ｃｅｌｌ＿ＦＡＣＨ）状態のユーザ装置（１１０）によるセル・アクセスに関する情報（４５０）を受信し、セル・アクセスに関する前記情報（４５０）を受信したときに前記Ｃｅｌｌ＿ＦＡＣＨ状態の前記ユーザ装置（１１０）用の拡張専用チャネル無線ネットワーク一時ＩＤ（Ｅ−ＲＮＴＩ）（４６０）を割り振る無線環境において、
前記第２のデバイス（１２４）により、前記Ｃｅｌｌ＿ＦＡＣＨ状態の前記ユーザ装置（１１０）への前記Ｅ−ＲＮＴＩ（４６０）の割り振りに関する情報を受信することと、
前記第２のデバイス（１２４）により、前記ユーザ装置（１１０）と前記第２のデバイス（１２４）との間の信号に関する状態情報を受信することと、
前記第２のデバイス（１２４）により、前記状態情報に応答して前記Ｅ−ＲＮＴＩ（４６０）を解放し、その結果、他のユーザ装置（１１０）が前記Ｅ−ＲＮＴＩ（４６０）を使用できるようにするための要求（５３０）を前記第１のデバイス（１２２）に提供すること、
を特徴とする、方法。
【請求項８】
前記第２のデバイス（１２４）により、状態情報を受信することが、
前記第２のデバイス（１２４）により、前記ユーザ装置（１１０）に関連する状態変化（５２０）を識別すること
を含む、請求項７記載の方法。
【請求項９】
前記状態変化（５２０）が、
前記Ｃｅｌｌ＿ＦＡＣＨ状態の前記ユーザ装置（１１０）がセルを離れること、又は
前記Ｃｅｌｌ＿ＦＡＣＨ状態の前記ユーザ装置（１１０）がアイドル状態に入ること
のうちの少なくとも１つを含む、請求項８記載の方法。
【請求項１０】
前記第１のデバイス（１２２）により、前記Ｃｅｌｌ＿ＦＡＣＨ状態の前記ユーザ装置（１１０）に関連する前記Ｅ−ＲＮＴＩ（４６０）の前記解放の確認応答（５５０）を生成することと、
前記第２のデバイス（１２４）により、前記Ｅ−ＲＮＴＩ（４６０）の前記解放の前記確認応答（５５０）を受信すること
をさらに特徴とする、請求項７記載の方法。
【請求項１１】
前記第１のデバイス（１２２）が基地局（ＢＳ）を含み、前記第２のデバイス（１２４）が無線ネットワーク・コントローラ（ＲＮＣ）を含む、請求項７記載の方法。
【請求項１２】
前記第１のデバイス（１２２）により、前記Ｃｅｌｌ＿ＦＡＣＨ状態の前記ユーザ装置（１１０）が非アクティブであると判断することと、
前記第１のデバイス（１２２）により、非アクティブ性の指示を運用及びメンテナンス（Ｏ＆Ｍ）システムに提供することと、
前記非アクティブ性の指示を受信したときに、前記Ｏ＆Ｍシステムにより、クリーンアップ手順（５６０）を開始して、前記Ｃｅｌｌ＿ＦＡＣＨ状態の前記ユーザ装置（１１０）に関連する前記Ｅ−ＲＮＴＩ（４６０）を除去すること
をさらに特徴とする、請求項７記載の方法。
【請求項１３】
前記第１のデバイス（１２２）により、第１のメッセージ（６１０）を前記第２のデバイス（１２４）に提供し、前記第１のメッセージ（６１０）が前記Ｅ−ＲＮＴＩ（４６０）を含むことと、
前記第２のデバイス（１２４）により、専用高速ダウンリンク共用チャネル無線ネットワーク・トランザクションＩＤ（Ｈ−ＲＮＴＩ）（６２０）と前記Ｅ−ＲＮＴＩ（４６０）とを含む第２のメッセージ（６３０）を生成することと、
前記第２のデバイス（１２４）により、前記第２のメッセージ（６３０）を前記第１のデバイス（１２２）に提供すること
をさらに特徴とする、請求項７記載の方法。
【請求項１４】
ノードＢアプリケーション部（ＮＢＡＰ）又はＩｕｂデータ・フレームを使用して、前記第２のデバイス（１２４）により、前記第２のメッセージ（６３０）を前記第１のデバイス（１２２）に提供することと、
前記第１のデバイス（１２２）により、前記第２のメッセージ（６３０）に含まれる第３のメッセージ（６４０）を前記Ｃｅｌｌ＿ＦＡＣＨ状態の前記ユーザ装置（１１０）に提供すること
をさらに特徴とする、請求項１３記載の方法。
【請求項１５】
前記Ｈ−ＲＮＴＩ（６２０）が前記Ｅ−ＲＮＴＩ（４６０）のピアである、請求項１３記載の方法。
【請求項１６】
ノードＢアプリケーション部（ＮＢＡＰ）を使用して、前記第２のデバイス（１２４）により、前記要求（５３０）を前記第１のデバイス（１２２）に提供すること
をさらに特徴とする、請求項７記載の方法。
【請求項１７】
基地局（１２２）であって、
セル・フォワード・アクセス・チャネル（Ｃｅｌｌ＿ＦＡＣＨ）状態のユーザ装置（１１０）によるセル・アクセスに関する情報（４５０）を受信し、
セル・アクセスに関する前記情報（４５０）を受信したときに前記Ｃｅｌｌ＿ＦＡＣＨ状態の前記ユーザ装置（１１０）用の拡張専用チャネル無線ネットワーク一時ＩＤ（Ｅ−ＲＮＴＩ）（４６０）を割り振る
ための基地局（１２２）と、
無線ネットワーク・コントローラ（ＲＮＣ）（１２４）であって、
前記Ｅ−ＲＮＴＩ（４６０）を含む第１のメッセージ（６１０）を前記基地局（１２２）から受信し、
専用高速ダウンリンク共用チャネル無線ネットワーク・トランザクションＩＤ（Ｈ−ＲＮＴＩ）（６２０）及び前記Ｅ−ＲＮＴＩ（４６０）を含む第２のメッセージ（６３０）を生成し、
前記第２のメッセージ（６３０）を前記基地局（１２２）に提供する
ための無線ネットワーク・コントローラ（ＲＮＣ）（１２４）と
を特徴とする、システム。
【請求項１８】
前記ＲＮＣ（１２４）がさらに、
前記ユーザ装置（１１０）に関連する状態変化（５２０）に関する情報を受信し、
前記状態変化（５２０）に基づいて前記Ｅ−ＲＮＴＩ（４６０）を解放できると判断し、
前記状態変化（５２０）に応答して前記Ｅ−ＲＮＴＩ（４６０）を解放し、その結果、他のユーザ装置（１１０）が前記Ｅ−ＲＮＴＩ（４６０）を使用できるようにするための要求（５３０）を前記基地局（１２２）に提供する、請求項１７記載のシステム。
【請求項１９】
前記基地局（１２２）がさらに、
前記要求（５３０）に基づいて前記Ｃｅｌｌ＿ＦＡＣＨ状態の前記ユーザ装置（１１０）に関連する前記Ｅ−ＲＮＴＩ（４６０）を解放し、
前記Ｃｅｌｌ＿ＦＡＣＨ状態の前記ユーザ装置（１１０）に関連する前記Ｅ−ＲＮＴＩ（４６０）の解放の確認応答を前記ＲＮＣ（１２４）に提供する、請求項１８記載のシステム。
【請求項２０】
前記基地局（１２２）がさらに、
前記Ｃｅｌｌ＿ＦＡＣＨ状態の前記ユーザ装置（１１０）が非アクティブであると判断し、
非アクティブ性の指示を運用及びメンテナンス（Ｏ＆Ｍ）システムに提供し、前記Ｏ＆Ｍシステムがクリーンアップ手順（５６０）を開始して、前記Ｃｅｌｌ＿ＦＡＣＨ状態の前記ユーザ装置（１１０）に関連する前記Ｅ−ＲＮＴＩ（４６０）を除去する、請求項１７記載のシステム。
【請求項２１】
複数の命令を保管するためのメモリ（２３４）と、
処理装置（２３２）であって、
セル・フォワード・アクセス・チャネル（Ｃｅｌｌ＿ＦＡＣＨ）状態のユーザ装置（１１０）によるセル・アクセスに関する情報（４５０）を受信し、
セル・アクセスに関する前記情報（４５０）を受信したときに前記Ｃｅｌｌ＿ＦＡＣＨ状態の前記ユーザ装置（１１０）用の拡張専用チャネル無線ネットワーク一時ＩＤ（Ｅ−ＲＮＴＩ）（４６０）を割り振り、
前記Ｅ−ＲＮＴＩ（４６０）を含む第１のメッセージ（６１０）を無線ネットワーク・コントローラ（ＲＮＣ）（１２４）に提供し、
専用高速ダウンリンク共用チャネル無線ネットワーク・トランザクションＩＤ（Ｈ−ＲＮＴＩ）（６２０）及び前記Ｅ−ＲＮＴＩ（４６０）を含む第２のメッセージ（６３０）を前記無線ネットワーク・コントローラ（ＲＮＣ）（１２４）から受信する
ために前記メモリ内の命令を実行する処理装置（３１２）と、
を含む、デバイス（１２２）。
【発明の詳細な説明】
【技術分野】
【０００１】
本明細書に記載されている諸実施形態は、一般に、無線通信システムに関し、詳細には、セル・フォワード・アクセス・チャネル（Ｃｅｌｌ＿ＦＡＣＨ：cell forward access channel）状態のユーザ装置用の拡張専用チャネル（Ｅ−ＤＣＨ：enhanced dedicated channel）無線ネットワーク一時ＩＤ（radio network temporary identifier）（Ｅ−ＲＮＴＩ）及び高速ダウンリンク共用チャネル（ＨＳ−ＤＳＣＨ：high-speed downlink shared channel）ＲＮＴＩ（Ｈ−ＲＮＴＩ）の処理に関する。
【背景技術】
【０００２】
拡張専用チャネル（Ｅ−ＤＣＨ）は、Ｃｅｌｌ＿ＦＡＣＨ状態のユーザ装置用のトランスポート・チャネル（transport channel）として使用される。Ｅ−ＤＣＨは、共通制御チャネル（ＣＣＣＨ：common control channel）、専用制御チャネル（ＤＣＣＨ：dedicated control channel）、及び／又は専用トラフィック・チャネル（ＤＴＣＨ：dedicated traffic channel）伝送に使用される。１つのＣＣＣＨメッセージは複数の伝送タイミング間隔（ＴＴＩ：transmission timing interval）で送信することができ、従って、再配列が必要になる。特定のユーザ装置に一時的に付与されたＥ−ＤＣＨチャネル上では、データ・パケットがそのネットワークに設定される。ユーザ装置へのリソースの付与を制御するために使用されるダウンリンク方向の制御チャネルが存在する。ユーザ装置は、Ｅ−ＤＣＨ無線ネットワーク一時ＩＤ（Ｅ−ＲＮＴＩ）により、どの制御メッセージが関連するものであるかを認識する。Ｅ−ＲＮＴＩは、ユーザ装置がＥ−ＤＣＨを確立するときに基地局（又はノードＢ）によって割り振られ、そのＥ−ＤＣＨを搬送するセル内で固有のものである。Ｅ−ＲＮＴＩは、ユーザ装置がＥ−ＤＣＨ共通チャネルにアクセスするときにメディア・アクセス制御（ＭＡＣ：media access control）ヘッダに含まれる可能性がある。Ｅ−ＲＮＴＩを備えたＥ−ＤＣＨ絶対付与チャネル（ＡＧＣＨ：absolute grant channel）はコンテンション解消（contention resolution）に使用される。ＣＣＣＨについてはコンテンション解消はまったく行われない。
【０００３】
ユーザ装置に割り振られたＥ−ＲＮＴＩは、Ｅ−ＤＣＨを使用しているすべてのユーザ装置（すなわち、Ｃｅｌｌ＿ＦＡＣＨ状態にあるユーザ装置及びＣｅｌｌ＿ＤＣＨ状態にあるユーザ装置）間のセル内で固有のものでなければならない。
【０００４】
アップリンクの拡張Ｃｅｌｌ＿ＦＡＣＨの場合、Ｃｅｌｌ＿ＦＡＣＨ状態のＥ−ＤＣＨ伝送をサポートするためにＭＡＣ−ｉ及びＭＡＣ−ｉｓが使用される。Ｅ−ＤＣＨの場合にＣｅｌｌ＿ＦＡＣＨ状態のＤＣＣＨ／ＤＴＣＨ伝送を処理するために、ユーザ装置あたり１つのＭＡＣ−ｉｓエンティティがサービス提供無線ネットワーク・コントローラ（ＲＮＣ：radio network controller）に位置している。ＣＣＣＨ用のＭＡＣ−ｉｓは制御ＲＮＣに位置している。
【０００５】
ダウンリンクの場合、Ｃｅｌｌ＿ＦＡＣＨユーザは高速パケット・アクセス（ＨＳＰＡ：high-speed packet access）チャネルも使用することができる。Ｃｅｌｌ＿ＦＡＣＨ状態のユーザ装置は、ＦＡＣＨ上の代わりにＨＳ−ＤＳＣＨ上でデータ・パケットを受信する。ＨＳ−ＤＳＣＨは、ダウンリンク上のパケットをユーザ装置に送信する高速ダウンリンク・パケット・アクセス（ＨＳＤＰＡ：high-speed downlink packet access）ユニバーサル・モバイル通信システム（ＵＭＴＳ：universal mobile telecommunications system）で使用されるチャネルである。ダウンリンクの拡張Ｃｅｌｌ＿ＦＡＣＨにより、Ｃｅｌｌ＿ＦＡＣＨ状態のユーザにはＨＳ−ＤＳＣＨ無線ネットワーク・トランザクションＩＤ（Ｈ−ＲＮＴＩ）が割り振られる。Ｈ−ＲＮＴＩは、ユーザ装置がＨＳ−ＤＳＣＨチャネルを確立するときに制御ＲＮＣ（ＣＲＮＣ）によって割り振られ、ＨＳ−ＤＳＣＨを搬送するセル内で固有のものである。
【０００６】
上述の通り、Ｅ−ＲＮＴＩは基地局によって割り振られ、Ｈ−ＲＮＴＩは制御ＲＮＣによって割り振られる。基地局におけるＥ−ＲＮＴＩの割り振りには、同じノードがＣｅｌｌ＿ＦＡＣＨ状態及びＣｅｌｌ＿ＤＣＨ状態のユーザにそのＥ−ＲＮＴＩを割り振り、その結果、セル内のＥ−ＲＮＴＩの固有性を保証するという利点がある場合でも、このような構成にはいくつかの不利点がある。たとえば、このような構成は、必要なときにＣｅｌｌ＿ＦＡＣＨユーザ装置に割り振られた未使用のＥ−ＲＮＴＩを除去（又は解放）しない。さらに、異なるノードがＨ−ＲＮＴＩ及びＥ−ＲＮＴＩを割り振るので、専用Ｈ−ＲＮＴＩ（たとえば、拡張ＦＡＣＨに使用されるもの）とＥ−ＲＮＴＩとの関係は、Ｃｅｌｌ＿ＦＡＣＨ状態のＥ−ＤＣＨを使用してユーザ装置をサポートするノードにとって未知のものである。基地局は、不連続受信（ＤＲＸ：discontinuous reception）及びその他の無線チャネル処理のためにこの関係を把握する必要がある。
【発明の概要】
【発明が解決しようとする課題】
【０００７】
本発明の目的は、上記の不利点のうちの少なくともいくつかを克服し、基地局が未使用のＥ−ＲＮＴＩを除去（又は解放）できるようにし、Ｃｅｌｌ＿ＦＡＣＨ状態のユーザ装置のためのアップリンク・チャネルとダウンリンク・チャネルの関係を基地局に気付かせることにある。
【課題を解決するための手段】
【０００８】
本明細書に記載されている諸実施形態は、Ｅ−ＲＮＴＩがもはやユーザ装置によって使用されないときに割り振られたＥ−ＲＮＴＩを解放し、解放されたＥ−ＲＮＴＩを基地局から除去するという問題を解決することができる。たとえば、無線ネットワーク・コントローラ（たとえば、ユーザ装置による信号に基づくもの）は、Ｅ−ＲＮＴＩを基地局から除去できる時期を把握することができ、基地局が他のユーザ装置による使用のためにＥ−ＲＮＴＩを除去できるという指示を提供するメッセージを（たとえば、基地局に）伝送することができる。
【０００９】
この実施形態の模範的な実装例のデバイスは、複数の命令を保管するためのメモリと、セル・フォワード・アクセス・チャネル（Ｃｅｌｌ＿ＦＡＣＨ）状態のユーザ装置への拡張専用チャネル無線ネットワーク一時ＩＤ（Ｅ−ＲＮＴＩ）の割り振りに関する情報を受信するためにメモリ内の命令を実行するための処理装置とを含むことができる。この処理装置は、ユーザ装置に関連する状態変化に関する情報を受信し、状態変化に基づいてＥ−ＲＮＴＩを解放できると判断し、状態変化に応答してＥ−ＲＮＴＩを解放し、その結果、他のユーザ装置がＥ−ＲＮＴＩを使用できるようにするための要求を他のデバイスに提供するためにメモリ内の命令をさらに実行することができる。
【００１０】
この実施形態の他の実装例の方法は、第１のデバイスと第２のデバイスとを含むことができる無線環境で実装することができ、第１のデバイスは、セル・フォワード・アクセス・チャネル（Ｃｅｌｌ＿ＦＡＣＨ）状態のユーザ装置によるセル・アクセスに関する情報を受信し、セル・アクセスに関する情報を受信したときにＣｅｌｌ＿ＦＡＣＨ状態のユーザ装置用の拡張専用チャネル無線ネットワーク一時ＩＤ（Ｅ−ＲＮＴＩ）を割り振る。この方法は、第２のデバイスにより、Ｃｅｌｌ＿ＦＡＣＨ状態のユーザ装置へのＥ−ＲＮＴＩの割り振りに関する情報を受信することと、第２のデバイスにより、ユーザ装置と第２のデバイスとの間の信号に関する状態情報を受信することを含むことができる。この方法は、第２のデバイスにより、状態情報に応答してＥ−ＲＮＴＩを解放し、その結果、他のユーザ装置がＥ−ＲＮＴＩを使用できるようにするための要求を第１のデバイスに提供することも含むことができる。
【００１１】
本明細書に記載されている他の実施形態は、基地局がＣｅｌｌ＿ＦＡＣＨ状態のユーザ装置のためのアップリンク・チャネルとダウンリンク・チャネルの関係に気付いていないという問題を解決することができる。たとえば、無線ネットワーク・コントローラは、基地局に伝送されたメッセージの情報要素として、割り振られたＥ−ＲＮＴＩと割り振られたＨ−ＲＮＴＩ（たとえば、アップリンク・チャネルとダウンリンク・チャネルに関連する一時ＩＤを提供するもの）の両方を提供することができる。
【００１２】
この実施形態の模範的な実装例のシステムは、セル・フォワード・アクセス・チャネル（Ｃｅｌｌ＿ＦＡＣＨ）状態のユーザ装置によるセル・アクセスに関する情報を受信し、セル・アクセスに関する情報を受信したときにＣｅｌｌ＿ＦＡＣＨ状態のユーザ装置用の拡張専用チャネル無線ネットワーク一時ＩＤ（Ｅ−ＲＮＴＩ）を割り振るための基地局を含むことができる。このシステムは、Ｅ−ＲＮＴＩを含む第１のメッセージを基地局から受信し、専用高速ダウンリンク共用チャネル無線ネットワーク・トランザクションＩＤ（Ｈ−ＲＮＴＩ）及びＥ−ＲＮＴＩを含む第２のメッセージを生成し、第２のメッセージを基地局に提供するための無線ネットワーク・コントローラ（ＲＮＣ）をさらに含むことができる。
【００１３】
この実施形態の他の実装例のデバイスは、複数の命令を保管するためのメモリと、セル・フォワード・アクセス・チャネル（Ｃｅｌｌ＿ＦＡＣＨ）状態のユーザ装置によるセル・アクセスに関する情報を受信し、セル・アクセスに関する情報を受信したときにＣｅｌｌ＿ＦＡＣＨ状態のユーザ装置用の拡張専用チャネル無線ネットワーク一時ＩＤ（Ｅ−ＲＮＴＩ）を割り振るためにメモリ内の命令を実行するための処理装置とを含むことができる。この処理装置は、Ｅ−ＲＮＴＩを含む第１のメッセージを無線ネットワーク・コントローラ（ＲＮＣ）に提供し、専用高速ダウンリンク共用チャネル無線ネットワーク・トランザクションＩＤ（Ｈ−ＲＮＴＩ）及びＥ−ＲＮＴＩを含む第２のメッセージを無線ネットワーク・コントローラ（ＲＮＣ）から受信するためにメモリ内の命令をさらに実行することができる。
【００１４】
本明細書に記載されている諸実施形態は、セル内のユーザ装置に関するＥ−ＲＮＴＩの固有の割り振りを行った後、未使用のＥ−ＲＮＴＩを除去（又は解放）することができ、Ｃｅｌｌ＿ＦＡＣＨ状態のＥ−ＤＣＨを使用してユーザ装置を制御している基地局に、専用Ｈ−ＲＮＴＩとＥ−ＲＮＴＩとの関係を配布することができる。さらに、本明細書に記載されている諸実施形態は、Ｃｅｌｌ＿ＦＡＣＨ状態のユーザ装置のためのアップリンク・チャネルとダウンリンク・チャネルの関係を基地局に提供し、基地局が（たとえば、ＤＲＸ及びその他の無線チャネル処理のために）その関係に気付くようにすることができる。
【図面の簡単な説明】
【００１５】
【図１】本明細書に記載されているシステム及び／又は方法を実装可能な模範的なネットワークの図を描写している。
【図２】図１に描写されている基地局の模範的なコンポーネントの図を示している。
【図３】図１に示されている無線ネットワーク・コントローラの模範的なコンポーネントの図を描写している。
【図４】図１に示されているネットワークの模範的な一部分のコンポーネントによって実行可能な模範的なＥ−ＲＮＴＩ割り振り手順の図を描写している。
【図５】図１に描写されているネットワークの模範的な一部分のコンポーネントによって実行可能な模範的なＥ−ＲＮＴＩ解放手順の図を示している。
【図６】図１に示されているネットワークの模範的な一部分のコンポーネントによって提供可能な模範的なＥ−ＲＮＴＩ／Ｈ−ＲＮＴＩメッセージングの図を描写している。
【図７】図１に示されているネットワークの模範的な一部分のコンポーネントによって提供可能な模範的なＥ−ＲＮＴＩ／Ｈ−ＲＮＴＩメッセージングの図を描写している。
【図８】本明細書に記載されている諸実施形態によりＥ−ＲＮＴＩを解放するための模範的なプロセスの流れ図を示している。
【図９】本明細書に記載されている諸実施形態により非アクティブ・ユーザ装置に関連するＥ−ＲＮＴＩを除去するための模範的なプロセスの流れ図を描写している。
【図１０】本明細書に記載されている諸実施形態によりＥ−ＲＮＴＩ／Ｈ−ＲＮＴＩメッセージングを提供するための模範的なプロセスの流れ図を示している。
【発明を実施するための形態】
【００１６】
以下の詳細な説明は添付図面を参照するものである。異なる図面の同じ参照番号は、同じか又は同様の要素を識別することができる。また、以下の詳細な説明は本発明を制限するものではない。
【００１７】
本明細書に記載されている諸実施形態は、基地局が未使用のＥ−ＲＮＴＩを除去（又は解放）できるようにし、Ｃｅｌｌ＿ＦＡＣＨ状態のユーザ装置のためのアップリンク・チャネルとダウンリンク・チャネルの関係を基地局に気付かせることができる。
【００１８】
図１は、本明細書に記載されているシステム及び／又は方法を実装可能な模範的なネットワーク１００の図を描写している。図示の通り、ネットワーク１００は、ユーザ装置（ＵＥ）１１０−１〜１１０−Ｌのグループ（ひとまとめにして「ユーザ装置１１０」と呼び、場合によっては個別に「ユーザ装置１１０」と呼ぶ）と、無線アクセス・ネットワーク（ＲＡＮ）１２０と、コア・ネットワーク（ＣＮ）１３０とを含むことができる。簡単にするため、図１には、４つのユーザ装置１１０と、１つの無線アクセス・ネットワーク１２０と、１つのコア・ネットワーク１３０が示されている。実際には、それ以上のＵＥ１１０、ランダム・アクセス・ネットワーク１２０、及び／又はコア・ネットワーク１３０が存在する可能性がある。また、場合によっては、ネットワーク１００内の１つのコンポーネント（たとえば、ユーザ装置１１０、無線アクセス・ネットワーク１２０、及びコア・ネットワーク１３０のうちの１つ又は複数）が、ネットワーク１００内の他のコンポーネント又は複数コンポーネントのグループによって実行されるものとして記載されている１つ又は複数の機能を実行することもできる。
【００１９】
ユーザ装置１１０は、無線アクセス・ネットワーク１２０との間で音声及び／又はデータを送信／受信できる１つ又は複数のデバイスを含むことができる。ユーザ装置１１０は、たとえば、無線電話、パーソナル・コミュニケーションズ・システム（ＰＣＳ）端末（たとえば、セルラー無線電話とデータ処理及びデータ通信機能を結合することができるもの）、携帯情報端末（ＰＤＡ）（たとえば、無線電話、ページャ、インターネット／イントラネット・アクセスなどを含むことができるもの）、ラップトップ・コンピュータなどを含むことができる。
【００２０】
無線アクセス・ネットワーク１２０は、ユーザ装置１１０及びコア・ネットワーク１３０に音声及び／又はデータを伝送するための１つ又は複数のデバイスを含むことができる。示されている通り、無線アクセス・ネットワーク１２０は、基地局（ＢＳ）１２２−１〜１２２−Ｍのグループ（ひとまとめにして「基地局１２２」と呼び、場合によっては個別に「基地局１２２」と呼ぶ）と、無線ネットワーク・コントローラ（ＲＮＣ）１２４−１〜１２４−Ｎのグループ（ひとまとめにして「無線ネットワーク・コントローラ１２４」と呼び、場合によっては個別に「無線ネットワーク・コントローラ１２４」と呼ぶ）とを含むことができる。簡単にするため、図１には、４つの基地局１２２と、２つの無線ネットワーク・コントローラ１２４が示されている。実際には、それ以上又はそれ以下の基地局１２２及び／又は無線ネットワーク・コントローラ１２４が存在する可能性がある。また、場合によっては、無線アクセス・ネットワーク１２０内の１つのコンポーネント（たとえば、基地局１２２及び無線ネットワーク・コントローラ１２４のうちの１つ又は複数）が、無線アクセス・ネットワーク１２０内の他のコンポーネント又は複数コンポーネントのグループによって実行されるものとして記載されている１つ又は複数の機能を実行することもできる。
【００２１】
基地局１２２（「ノードＢ」とも呼ぶ）は、無線ネットワーク・コントローラ１２４から音声及び／又はデータを受信し、エア・インターフェースを介してユーザ装置１１０にその音声及び／又はデータを送信する１つ又は複数のデバイスを含むことができる。基地局１２２は、エア・インターフェースによりユーザ装置１１０から音声及び／又はデータを受信し、無線ネットワーク・コントローラ１２４又はその他のユーザ装置１１０にその音声及び／又はデータを送信する１つ又は複数のデバイスも含むことができる。
【００２２】
一実施形態では、基地局１２２は、Ｃｅｌｌ＿ＦＡＣＨ状態のユーザ装置１１０によるセル・アクセスに関する情報を受信することができ、セル・アクセスに関する情報を受信したときにＣｅｌｌ＿ＦＡＣＨ状態のユーザ装置１１０用のＥ−ＲＮＴＩを割り振ることができる。基地局１２２は、Ｅ−ＲＮＴＩを含む第１のメッセージを無線ネットワーク・コントローラ１２４に提供することができ、Ｈ−ＲＮＴＩ及びＥ−ＲＮＴＩを含む第２のメッセージを無線ネットワーク・コントローラ１２４から受信することができる。
【００２３】
無線ネットワーク・コントローラ１２４は、基地局１２２を制御し管理する１つ又は複数のデバイスを含むことができる。無線ネットワーク・コントローラ１２４は、無線ネットワーク・サービスの利用を管理するためにデータ処理を実行するデバイスも含むことができる。無線ネットワーク・コントローラ１２４は、基地局１２２、その他の無線ネットワーク・コントローラ１２４、及び／又はコア・ネットワーク１３０との間で音声及びデータを送信／受信することができる。
【００２４】
無線ネットワーク・コントローラ１２４は、制御無線ネットワーク・コントローラ（ＣＲＮＣ）、ドリフト無線ネットワーク・コントローラ（ＤＲＮＣ）、又はサービス提供無線ネットワーク・コントローラ（ＳＲＮＣ）として動作することができる。ＣＲＮＣは、基地局１２２のリソースを制御する役割を担うことができる。これに対して、ＳＲＮＣは、特定のユーザ装置１１０に対応することができ、そのユーザ装置１１０への接続を管理することができる。同様に、ＤＲＮＣは、ＳＲＮＣと同様の役割を果たすことができる（たとえば、ＳＲＮＣと特定のユーザ装置１１０との間のトラフィックを経路指定することができる）。
【００２５】
図１に示されている通り、無線ネットワーク・コントローラ１２４は、Ｉｕｂインターフェースを介して基地局１２２に接続することができ、Ｉｕｒインターフェースを介して他の無線ネットワーク・コントローラ１２４に接続することができる。
【００２６】
一実施形態では、無線ネットワーク・コントローラ１２４は、Ｃｅｌｌ＿ＦＡＣＨ状態のユーザ装置１１０へのＥ−ＲＮＴＩの割り振りに関する情報を受信することができ、ユーザ装置１１０に関連する状態変化に関する情報を受信することができる。無線ネットワーク・コントローラ１２４は、状態変化に基づいてＥ−ＲＮＴＩを解放できると判断することができ、状態変化に応答してＥ−ＲＮＴＩを解放し、その結果、他のユーザ装置１１０がＥ−ＲＮＴＩを使用できるようにするための要求を基地局１２２に提供することができる。
【００２７】
コア・ネットワーク１３０は、回線交換網及び／又はパケット交換網に音声及び／又はデータを転送／受信する１つ又は複数のデバイスを含むことができる。一実施形態では、コア・ネットワーク１３０は、たとえば、移動交換センター（ＭＳＣ：Mobile Switching Center）、ゲートウェイＭＳＣ（ＧＭＳＣ）、メディア・ゲートウェイ（ＭＧＷ）、サービス提供汎用パケット無線サービス（ＧＰＲＳ：General Packet Radio Service）サポート・ノード（ＳＧＳＮ）、ゲートウェイＧＰＲＳサポート・ノード（ＧＧＳＮ）、及び／又はその他のデバイスを含むことができる。
【００２８】
図２は、基地局１２２の模範的なコンポーネントの図を示している。図２に示されている通り、基地局１２２は、アンテナ２１０と、トランシーバ（ＴＸ／ＲＸ）２２０と、処理システム２３０と、Ｉｕｂインターフェース（Ｉ／Ｆ）２４０とを含むことができる。
【００２９】
アンテナ２１０は、１つ又は複数の指向性アンテナ及び／又は全方向性アンテナを含むことができる。トランシーバ２２０は、アンテナ２１０に関連付けることができ、アンテナ２１０を介してネットワーク１１０などのネットワーク内でシンボル・シーケンスを送信及び／又は受信するためのトランシーバ回路を含むことができる。
【００３０】
処理システム２３０は、基地局１２２の動作を制御することができる。処理システム２３０は、トランシーバ２２０及びＩｕｂインターフェース２４０を介して受信した情報を処理することもできる。処理システム２３０は、接続の品質及び強度をさらに測定することができ、フレーム・エラー率（ＦＥＲ：frame error rate）を決定することができ、この情報を無線ネットワーク・コントローラ１２４に伝送することができる。示されている通り、処理システム２３０は、処理装置２３２とメモリ２３４とを含むことができる。
【００３１】
処理装置２３２は、１つ又は複数のプロセッサ、マイクロプロセッサ、特定用途向け集積回路（ＡＳＩＣ）、フィールド・プログラマブル・ゲート・アレイ（ＦＰＧＡ）などを含むことができる。処理装置２３２は、トランシーバ２２０及びＩｕｂインターフェース２４０を介して受信した情報を処理することができる。この処理は、たとえば、データ変換、順方向誤り訂正（ＦＥＣ：forward error correction）、レート適応（rate adaptation）、広帯域符号分割多元接続（ＷＣＤＭＡ）拡散／広がり（spreading/dispreading）、横軸位相偏移変調（ＱＰＳＫ）などを含むことができる。加えて、処理装置２３２は、制御メッセージ及び／又はデータ・メッセージを生成することができ、トランシーバ２２０及び／又はＩｕｂインターフェース２４０を介してこれらの制御メッセージ及び／又はデータ・メッセージを伝送させることができる。また、処理装置２３２は、トランシーバ２２０及び／又はＩｕｂインターフェース２４０から受信した制御メッセージ及び／又はデータ・メッセージを処理することもできる。
【００３２】
メモリ２３４は、処理装置２３２によって使用可能なデータ及び命令を保管するためにランダム・アクセス・メモリ（ＲＡＭ）、読み取り専用メモリ（ＲＯＭ）、及び／又は他のタイプのメモリを含むことができる。
【００３３】
Ｉｕｂインターフェース２４０は、基地局１２２が無線ネットワーク・コントローラ１２４にデータを送信し、そこからデータを受信できるようにする１つ又は複数のライン・カード（line card）を含むことができる。
【００３４】
本明細書に記載されている通り、基地局１２２は、メモリ２３４などのコンピュータ可読媒体に収容されているアプリケーションのソフトウェア命令を処理装置２３２が実行したことに応答して特定の動作を実行することができる。コンピュータ可読媒体は、物理又は論理メモリ素子として定義することができる。論理メモリ素子は、単一の物理メモリ素子内のメモリ空間を含むか又は複数の物理メモリ素子間に分散されたメモリ空間を含むことができる。ソフトウェア命令は、アンテナ２１０及びトランシーバ２２０を介して他のコンピュータ可読媒体又は他のデバイスからメモリ２３４内に読み込むことができる。メモリに収容されているソフトウェア命令により、処理装置２３２は本明細書に記載されているプロセスを実行することができる。代わって、本明細書に記載されているプロセスを実装するために、ソフトウェア命令の代わりに又はソフトウェア命令と組み合わせてハードワイヤード回路を使用することができる。従って、本明細書に記載されている諸実施形態は、ハードウェア回路とソフトウェアとの特定の組み合わせに限定されない。
【００３５】
図２は基地局１２２の模範的なコンポーネントを示しているが、他の諸実施形態では、基地局１２２は、図２に描写されているものより少ないコンポーネント、異なるコンポーネント、異なる配置のコンポーネント、又は追加のコンポーネントを含むこともできる。さらに他の諸実施形態では、基地局１２２の１つ又は複数のコンポーネントは、基地局１２２の１つ又は複数の他のコンポーネントによって実行されるものとして記載されている１つ又は複数の他のタスクを実行することもできる。
【００３６】
図３は、無線ネットワーク・コントローラ１２４の模範的なコンポーネントの図を描写している。図示の通り、無線ネットワーク・コントローラ１２４は、処理システム３１０、Ｉｕｂインターフェース３２０、Ｉｕｒインターフェース３３０、及び／又はその他のインターフェース３４０を含むことができる。
【００３７】
処理システム３１０は、無線ネットワーク・コントローラ１２４の動作を制御することができる。示されている通り、処理システム３１０は、処理装置３１２とメモリ３１４とを含むことができる。処理装置３１２は、Ｉｕｂインターフェース３２０と、Ｉｕｒインターフェース３３０と、その他のインターフェース３４０との間のプロトコル交換を処理することができる。加えて、処理装置３１２は、制御メッセージ及び／又はデータ・メッセージを生成し、インターフェース３２０〜３４０を介してこれらの制御メッセージ及び／又はデータ・メッセージを伝送することができる。処理装置３１２は、インターフェース３２０〜３４０から受信した制御メッセージ及び／又はデータ・メッセージを処理することもできる。一実施形態では、処理装置３１２は、１つ又は複数のプロセッサ、マイクロプロセッサ、特定用途向け集積回路（ＡＳＩＣ）、フィールド・プログラマブル・ゲート・アレイ（ＦＰＧＡ）などを含むことができる。メモリ３１４は、処理装置２１２によって使用可能なデータ及び命令を保管するためにランダム・アクセス・メモリ（ＲＡＭ）、読み取り専用メモリ（ＲＯＭ）、及び／又は他のタイプのメモリを含むことができる。
【００３８】
Ｉｕｂインターフェース３２０は、無線ネットワーク・コントローラ１２４が基地局１２２に制御メッセージ及び／又はデータ・メッセージを送信し、そこから制御メッセージ及び／又はデータ・メッセージを受信できるようにする１つ又は複数のライン・カードを含むことができる。Ｉｕｒインターフェース３３０は、無線ネットワーク・コントローラ１２４が他の無線ネットワーク・コントローラに制御メッセージ及び／又はデータ・メッセージを送信し、そこから制御メッセージ及び／又はデータ・メッセージを受信できるようにする１つ又は複数のライン・カードを含むことができる。その他のインターフェース３４０は、その他のデバイス及び／又はネットワークへのインターフェースを含むことができる。たとえば、その他のインターフェース３４０は、回線交換音声ネットワークへのコア・ネットワーク・インターフェースであるＩｕｃｓインターフェースと、パケット交換データ・ネットワークへのコア・ネットワーク・インターフェースであるＩｕｐｓインターフェースとを含むことができる。
【００３９】
本明細書に記載されている通り、無線ネットワーク・コントローラ１２４は、メモリ３１４などのコンピュータ可読媒体に収容されているアプリケーションのソフトウェア命令を処理装置３１２が実行したことに応答して特定の動作を実行することができる。ソフトウェア命令は、他のコンピュータ可読媒体又は他のデバイスからメモリ３１４内に読み込むことができる。メモリに収容されているソフトウェア命令により、処理装置３１２は本明細書に記載されているプロセスを実行することができる。代わって、本明細書に記載されているプロセスを実装するために、ソフトウェア命令の代わりに又はソフトウェア命令と組み合わせてハードワイヤード回路を使用することができる。従って、本明細書に記載されている諸実施形態は、ハードウェア回路とソフトウェアとの特定の組み合わせに限定されない。
【００４０】
図３は無線ネットワーク・コントローラ１２４の模範的なコンポーネントを示しているが、他の諸実施形態では、無線ネットワーク・コントローラ１２４は、図３に描写されているものより少ないコンポーネント、異なるコンポーネント、異なる配置のコンポーネント、又は追加のコンポーネントを含むこともできる。さらに他の諸実施形態では、無線ネットワーク・コントローラ１２４の１つ又は複数のコンポーネントは、無線ネットワーク・コントローラ１２４の１つ又は複数の他のコンポーネントによって実行されるものとして記載されている１つ又は複数の他のタスクを実行することもできる。
【００４１】
図４は、ネットワーク１００の模範的な一部分４００のコンポーネントによって実行可能な模範的なＥ−ＲＮＴＩ割り振り手順の図を描写している。図示の通り、模範的なネットワーク部分４００は、ユーザ装置１１０−１と、ユーザ装置１１０−２と、基地局１２２−１と、ＲＮＣ１２４−１とを含むことができる。ユーザ装置１１０−１及び１１０−２は、たとえば、図１に関連して上述した特徴を含むことができる。基地局１２２−１は、たとえば、図１及び図２に関連して上述した特徴を含むことができる。ＲＮＣ１２４−１は、たとえば、図１及び図３に関連して上述した特徴を含むことができる。
【００４２】
図４にさらに示されている通り、ユーザ装置１１０−１はＣｅｌｌ＿ＤＣＨ状態４１０にすることができ、基地局１２２−１はＣｅｌｌ＿ＤＣＨ状態４１０のユーザ装置１１０−１用のＥ−ＲＮＴＩ４２０を割り振ることができる。基地局１２２−１は、（たとえば、ノードＢアプリケーション部（ＮＢＡＰ）及び／又は無線ネットワーク・サブシステム・アプリケーション部（ＲＮＳＡＰ）無線リンク専用信号を介して）割り振られたＥ−ＲＮＴＩ４２０についてＲＮＣ１２４−１に通知することができる。たとえば、基地局１２２−１は、このサービス提供無線リンクをセットアップする専用無線リンク手順に関連する応答メッセージでＥ−ＲＮＴＩ４２０についてＲＮＣ１２４−１に通知することができる。基地局１２２−１がＥ−ＲＮＴＩ４２０についてＲＮＣ１２４−１に通知した後、ＲＮＣ１２４−１は、無線リソース制御（ＲＲＣ）信号４３０を介してＥ−ＲＮＴＩ４２０についてユーザ装置１１０−１に通知することができる。Ｉｕｂ及びＩｕｒによる専用無線リンク関連信号がまったく存在しない可能性があるので、ユーザ装置がＣｅｌｌ＿ＦＡＣＨ状態にあるときはこのような手順が適用可能ではない可能性がある。
【００４３】
ユーザ装置１１０−２はＣｅｌｌ＿ＦＡＣＨ状態４４０にすることができ、ユーザ装置１１０−１及びユーザ装置１１０−２用に割り振られたＥ−ＲＮＴＩは１つのセル内で固有のものにすることができる。従って、基地局１２２−１は、ユーザ装置に関連する状態にかかわらず、Ｅ−ＲＮＴＩを割り振ることができる。後方互換性のために、基地局１２２−１は、ユーザ装置１１０−２など、Ｃｅｌｌ＿ＦＡＣＨ状態のユーザ装置用のＥ−ＲＮＴＩを割り振ることができる。参照番号４５０によって示されているように、ユーザ装置１１０−２が（たとえば、セル更新、ＵＴＲＡＮ登録エリア（ＵＲＡ）更新、ＲＲＣ接続要求などを介して）Ｃｅｌｌ＿ＦＡＣＨ状態のＥ−ＤＣＨ用のＣＣＣＨ上の新しいセルにアクセスすると、基地局１２２−１はユーザ装置１１０−２用のＥ−ＲＮＴＩ４６０を割り振ることができる。基地局１２２−１は、割り振られたＥ−ＲＮＴＩ４６０についてＲＮＣ１２４−１に通知することができる。基地局１２２−１がＥ−ＲＮＴＩ４６０についてＲＮＣ１２４−１に通知した後、ＲＮＣ１２４−１は、（たとえば、ＲＲＣ開始メッセージへのＲＲＣ応答メッセージで）ＲＲＣ信号４７０を介してＥ−ＲＮＴＩ４６０についてユーザ装置１１０−２に通知することができる。
【００４４】
ＣＣＣＨ上のアップリンクで送信されたＲＲＣメッセージは、ＲＮＣ１２４−１（たとえば、ＭＡＣ−ｃ成端点（termination point））にＩｕｂフレーミング・プロトコル（framing protocol）でトランスポートすることができ、その後、ＲＮＳＡＰアップリンク信号転送指示メッセージを使用して転送することができる。一例では、基地局１２２−１は、Ｃｅｌｌ＿ＦＡＣＨ状態のＥ−ＤＣＨ用のＣＣＣＨ上のアップリンク・メッセージを受信したときにＩｕｂフレーミング・プロトコルのＩｕｂフレームにＥ−ＲＮＴＩ４６０を含めることができ、ＲＮＳＡＰアップリンク信号転送指示メッセージの新しい情報要素にＥ−ＲＮＴＩ４６０を含めることができる。Ｉｕｂフレーミング・プロトコルを使用してＥ−ＲＮＴＩ４６０についてＲＮＣ１２４−１に通知する代わりに、基地局１２２−１は、新しいＮＢＡＰ手順を呼び出すことができ、制御プレーン内のＲＮＣ１２４−１にＥ−ＲＮＴＩ４６０に関する情報を送信することができる。ＮＢＡＰ手順は、第１のＲＲＣメッセージによりユーザ・プレーンで送信されたフレームへのバインディングを含むことができる。
【００４５】
ＣＣＣＨを搬送するＩｕｂフレーム（複数も可）のレイアウトを定義するときに、ＣＣＣＨのセグメント化を考慮することができる。基地局１２２−１は、ＲＲＣ接続要求を搬送するフレームから、ＲＲＣセル更新メッセージを搬送するＣｅｌｌ＿ＦＡＣＨフレーム内のＥ−ＤＣＨ用のＣＣＣＨを差別化することはできない。従って、ユーザ装置１１０−２がＲＲＣ接続を要求するときに無線ネットワーク・サブシステムがアイドル・ユーザ装置をＣｅｌｌ＿ＤＣＨ状態に再構成する場合でも、Ｅ−ＲＮＴＩ４６０は、Ｃｅｌｌ＿ＦＡＣＨ状態のＥ−ＤＣＨ用のＣＣＣＨを使用するときに第１のアップリンクＩｕｂフレームに含める必要がある可能性がある。後方互換性のために、ＲＮＣ１２４−１がユーザ装置１１０−２の状態をＣｅｌｌ＿ＤＣＨ状態に変更することを決定し、基地局１２２−１が無線リンク・セットアップ要求を受信した場合、Ｅ−ＲＮＴＩ４６０は、無線リンク・セットアップ応答に含めることができる。
【００４６】
図４はネットワーク部分４００の模範的なコンポーネントを示しているが、他の諸実施形態では、ネットワーク部分４００は、図４に描写されているものより少ないコンポーネント、異なるコンポーネント、異なる配置のコンポーネント、又は追加のコンポーネントを含むこともできる。さらに他の諸実施形態では、ネットワーク部分４００の１つ又は複数のコンポーネントは、ネットワーク部分４００の１つ又は複数の他のコンポーネントによって実行されるものとして記載されている１つ又は複数の他のタスクを実行することもできる。
【００４７】
図５は、ネットワーク１００の模範的な一部分５００のコンポーネントによって実行可能な模範的なＥ−ＲＮＴＩ解放手順の図を示している。図示の通り、模範的なネットワーク部分５００は、ユーザ装置１１０−２と、基地局１２２−１と、ＲＮＣ１２４−１とを含むことができる。ユーザ装置１１０−２は、たとえば、図１に関連して上述した特徴を含むことができる。基地局１２２−１は、たとえば、図１及び図２に関連して上述した特徴を含むことができる。ＲＮＣ１２４−１は、たとえば、図１及び図３に関連して上述した特徴を含むことができる。
【００４８】
基地局１２２−１はＲＲＣ信号を終了できず、ＲＮＳＡＰ共通トランスポート・チャネル手順を介してＲＮＣ１２４−１と接触していない可能性があるので、基地局１２２−１はユーザ装置１１０−２に関連する状況変化に気付かない可能性がある。たとえば、参照番号５１０によって示されているように、ユーザ装置１１０−２がセルを離れるか及び／又はアイドルになる場合、基地局１２２−１は、ユーザ装置１１０−２がセルを離れる／アイドルになること５１０に気付かない可能性がある。ＵＥ状態変化情報５２０を介して、ユーザ装置１１０−２に関連する状況変化（たとえば、セルを離れる／アイドルになる５１０）をＲＮＣ１２４−１に気付かせることができる。ＵＥ状態変化情報５２０は、ユーザ装置１１０−２に関連する状況情報を含むことができる。
【００４９】
ユーザ装置１１０−２に関連するＥ−ＲＮＴＩは、セル内で固有のものである必要がある可能性がある。ユーザ装置１１０−２がもはやＣｅｌｌ＿ＦＡＣＨ状態、ＵＲＡ＿ＰＣＨ状態、及び／又はＣｅｌｌ＿ＰＣＨ状態ではない場合、ユーザ装置１１０−２に関連するＥ−ＲＮＴＩは、未使用（又は「ハンギング（hanging）」）である可能性があり、解放する必要がある可能性がある。ＲＮＣ１２４−１は、Ｅ−ＲＮＴＩを解放すべきであることを暗示するようなユーザ装置１１０−２に関する状況変化を基地局１２２−１に通知することができる。たとえば、ユーザ装置１１０−２に関連するＥ−ＲＮＴＩを解放すべきであるとＲＮＣ１２４−１が判断した場合、ＲＮＣ１２４−１は、Ｅ−ＲＮＴＩ解放要求５３０を開始することができ、基地局１２２−１にＥ−ＲＮＴＩ解放要求５３０を提供することができる。ＲＮＣ１２４−１が共通トランスポート・チャネル手順によってトリガされたＣＲＮＣである場合、ＲＮＣ１２４−１は、新しい共通ＮＢＡＰ手順を呼び出すことができるか、又はユーザ装置１１０に関連するＥ−ＲＮＴＩを解放すべきであることを基地局１２２−１に通知するために新しいＩｕｂフレーミング・プロトコル制御フレームを送信することができる。ＲＮＣ１２４−１がＳＲＮＣである場合、ＲＮＣ１２４−１は、ユーザ装置１１０に関連するＥ−ＲＮＴＩを解放すべきであることを基地局１２２−１に通知するためにＲＮＳＡＰ及び／又はＮＢＡＰ上で新しい共通手順を使用することができる。たとえば、ＲＮＣ１２４−２は、ＲＮＳＡＰ上で新しい共通クラス「２」手順を実装することができるか、又は既存の手順（たとえば、情報交換開始／終了手順又はその他の適切な共通手順）を再利用することができる。ユーザ装置１１０に関連するＥ−ＲＮＴＩを解放すべきであるという確認応答を基地局１２２−１が受信しない場合、Ｅ−ＲＮＴＩはハンギング（たとえば、解放されない）Ｅ−ＲＮＴＩになる可能性がある。
【００５０】
基地局１２２−１がＥ−ＲＮＴＩ解放要求５３０を受信すると、基地局１２２−１は、参照番号５４０によって示されているように、セル内のユーザ装置１１０−２用のＥ−ＲＮＴＩを除去することができ、（任意選択で）参照番号５５０によって示されているように、Ｅ−ＲＮＴＩの解放の確認応答をＲＮＣ１２４−１に提供することができる。
【００５１】
ＲＮＣ１２４−１が上述のクラス「１」又はクラス「２」手順を使用する場合、失われたダウンリンクＮＢＡＰクラス「２」メッセージは「ハンギング」Ｅ−ＲＮＴＩの指示を提供することができる。これは、定期的クリーンアップによって解決することができる。たとえば、図５に示されている通り、ユーザ装置１１０−２が非アクティブであった（たとえば、時間しきい値より長いか及び／又はセル内の非アクティブ・ユーザ装置の数を定義する他のしきい値より長い）と基地局１２２−１が判断した場合、基地局１２２−１はユーザ装置１１０−２の非アクティブ性の指示５６０を運用及びメンテナンス（Ｏ＆Ｍ：operations and maintenance）システムに提供することができる。ユーザ装置１１０−２がしきい値の１つより長い間、非アクティブであった場合、Ｏ＆Ｍシステムは、基地局１２２−１を介してクリーンアップ手順５７０を開始することができる。クリーンアップ手順５７０は、ユーザ装置１１０−２に関連するＥ−ＲＮＴＩを直接除去するよう、基地局１２２−１に指示することができる。一例では、しきい値は、Ｃｅｌｌ＿ＰＣＨ状態のユーザ装置が非常に長い時間（たとえば、数時間、数日、又はそれより長い間）非アクティブである状況を考慮することができる。
【００５２】
上述の通り、基地局１２２−１は、ユーザ装置がセルを離れるか、アイドル・モードになるか、又はもはやＥ−ＲＮＴＩを使用しないときに気付かない可能性がある。基地局１２２−１はユーザ装置１１０−２用のＥ−ＲＮＴＩについてＲＮＣ１２４−１に通知するので、どのユーザ装置にＥ−ＲＮＴＩが割り振られるか、その結果、どのユーザ装置の状況変化についてモニターする必要があるかをＲＮＣ１２４−１が把握する。一実施形態では、ユーザ装置１１０−２が（たとえば、割り振られたＥ−ＲＮＴＩにより）その状態をアイドル・モードに変更するか、セルを離れるか、又はユーザ装置１１０−２がもはやＣｅｌｌ＿ＦＡＣＨ状態のＥ−ＤＣＨチャネルを使用できないとＲＮＣ１２４−１が判断した場合、ＲＮＣ１２４−１は、ＮＢＡＰを介して、ユーザ装置状況更新を基地局１２２−１に送信することができる。
【００５３】
ＲＮＣ１２４−１が、ユーザ装置１１−０２用のＥ−ＲＮＴＩを除去するよう、基地局１２２−１に要求する前に、ＲＮＣ１２４−１は、（たとえば、ＲＲＣ信号を介して）そのＥ−ＲＮＴＩを使用しないよう、ユーザ装置１１０−２に通知することができる。ＲＮＣ１２４−１は、ユーザ装置１１０−２がＣｅｌｌ＿ＦＡＣＨ状態のＥ−ＤＣＨ上のアップリンク・トランスポートのために割り振られたＥ−ＲＮＴＩをもはや使用できないことを基地局１２２−１に通知するために、以下の手順を使用することができる。ＲＮＣ１２４−１は、ＵＥ状況更新メッセージを基地局１２２−１に送信することができる。ＵＥ状況更新メッセージを受信すると、基地局１２２−１は、Ｅ−ＲＮＴＩに対するユーザ装置１１０−２の関連付けを除去することができ、割り振られたＥ−ＲＮＴＩを開放することができる。Ｅ−ＲＮＴＩが解放されると、基地局１２２−１は、ＲＮＣ１２４−１に対するＵＥ状況更新応答メッセージで応答することができる。表１は、ＮＢＡＰプロトコルのＵＥ状況更新メッセージ・フォーマットの一例を示している。
【表１】
2011517185.tif 000003
【００５４】
図５はネットワーク部分５００の模範的なコンポーネントを示しているが、他の諸実施形態では、ネットワーク部分５００は、図５に描写されているものより少ないコンポーネント、異なるコンポーネント、異なる配置のコンポーネント、又は追加のコンポーネントを含むこともできる。さらに他の諸実施形態では、ネットワーク部分５００の１つ又は複数のコンポーネントは、ネットワーク部分５００の１つ又は複数の他のコンポーネントによって実行されるものとして記載されている１つ又は複数の他のタスクを実行することもできる。
【００５５】
図６は、ネットワーク１００の模範的な一部分６００のコンポーネントによって提供可能な模範的なＥ−ＲＮＴＩ／Ｈ−ＲＮＴＩメッセージングの図を描写している。図示の通り、模範的なネットワーク部分６００は、ユーザ装置１１０−２と、基地局１２２−１と、ＲＮＣ１２４−１と、ＲＮＣ１２４−Ｎとを含むことができる。ユーザ装置１１０−１は、たとえば、図１に関連して上述した特徴を含むことができる。基地局１２２−１は、たとえば、図１及び図２に関連して上述した特徴を含むことができる。ＲＮＣ１２４−１及び１２４−Ｎは、たとえば、図１及び図３に関連して上述した特徴を含むことができる。ＲＮＣ１２４−１はＣＲＮＣ及び／又はＤＲＮＣであり、ＲＮＣ１２４−ＮはＳＲＮＣであると想定することができる。
【００５６】
Ｃｅｌｌ＿ＦＡＣＨ状態の拡張アップリンクを使用してどの専用Ｈ−ＲＮＴＩがユーザ装置（たとえば、ユーザ装置１１０−２）に割り振られるかを基地局１２２−１が把握する必要がある可能性がある。基地局１２２−１は、ユーザ装置１１０−２がＤＴＣＨ／ＤＣＣＨ及びＥ−ＲＮＴＩコンテンション解消を使用してＣｅｌｌ＿ＦＡＣＨ状態のＥ−ＤＣＨにアクセスしようと試みる前に、どの専用Ｈ−ＲＮＴＩがユーザ装置１１０−２に割り振られるかを把握する必要がある可能性がある。
【００５７】
図６に示されている通り、ユーザ装置１１０−２は、ＣＣＣＨ上の基地局１２２−１に第１のメッセージ６１０を提供することができる。第１のメッセージ６１０は、たとえば、ＲＲＣメッセージを含むことができる。基地局１２２−１は、第２のメッセージ６２０（たとえば、Ｉｕｂフレーム）で第１のメッセージ６１０の内容をＲＮＣ１２４−１に転送することができる。第２のメッセージ６２０は、ユーザ装置１１０−２（たとえば、ユーザ装置１１０−２が新しいセルにアクセスするとき）に割り振られたＥ−ＲＮＴＩ（たとえば、Ｅ−ＲＮＴＩ４６０（図４））と、第１のメッセージ６１０に含まれるＲＲＣメッセージとを含むことができる。ＲＮＣ１２４−１が第２のメッセージ６２０（ならびに、たとえば、Ｅ−ＲＮＴＩと、第１のメッセージ６１０に含まれるＲＲＣメッセージ）を受信すると、ＲＮＣ１２４−１は、メッセージ６３０（たとえば、ユーザ装置１１０−２に割り振られた専用Ｈ−ＲＮＴＩを含むもの）と、Ｅ−ＲＮＴＩと、第１のメッセージ６１０に含まれるＲＲＣメッセージとをＲＮＣ１２４−Ｎに提供することができる。メッセージ６３０は、ＲＮＳＡＰアップリンク信号転送指示メッセージ（たとえば、Ｉｕｒの場合）を含むことができる。ＲＮＣ１２４−Ｎは、ＲＲＣメッセージ応答と、専用Ｈ−ＲＮＴＩと、Ｅ−ＲＮＴＩとを含むＲＮＳＡＰメッセージ６４０（たとえば、ＲＮＳＡＰダウンリンク信号転送指示を使用するもの）をＲＮＣ１２４−１に提供することができる。ＲＮＣ１２４−１は、１つのフィールドのＲＲＣメッセージ応答と、他のフィールドの専用Ｈ−ＲＮＴＩと、さらに他のフィールドのＥ−ＲＮＴＩとを含むメッセージ６５０を基地局１２２−１に提供することができる。基地局１２２−１は、メッセージ６５０を受信することができ、ＲＲＣメッセージ応答６６０（たとえば、メッセージ６５０に含まれるＲＲＣメッセージ応答）をユーザ装置１１０−２に提供することができる。ＲＲＣメッセージ応答６６０は、専用Ｈ−ＲＮＴＩとＥ−ＲＮＴＩとを含むことができる。ユーザ装置１１０−２がＲＲＣメッセージ応答６６０を受信すると、ユーザ装置１１０−２は、ＤＴＣＨ／ＤＣＣＨ及びＥ−ＲＮＴＩコンテンション解消を使用してＣｅｌｌ＿ＦＡＣＨ状態のＥ−ＤＣＨにアクセスしようと試みることができる。
【００５８】
しかし、Ｅ−ＲＮＴＩがユーザ装置１１０−２に割り振られる前に、ユーザ装置１１０−２はＣＣＣＨを使用してＣｅｌｌ＿ＦＡＣＨ状態のＥ−ＤＣＨにアクセスすることができる。図７は、Ｅ−ＲＮＴＩ及び専用Ｈ−ＲＮＴＩがこのような状況で割り振られる時期及び場所を描写している。図７は、ネットワーク１００の模範的な一部分７００のコンポーネントによって提供可能な模範的なＥ−ＲＮＴＩ／Ｈ−ＲＮＴＩメッセージングの図を描写している。図示の通り、模範的なネットワーク部分７００は、ユーザ装置１１０−２と、基地局１２２−１と、ＲＮＣ１２４−１と、ＲＮＣ１２４−Ｎとを含むことができる。ユーザ装置１１０−１は、たとえば、図１に関連して上述した特徴を含むことができる。基地局１２２−１は、たとえば、図１及び図２に関連して上述した特徴を含むことができる。ＲＮＣ１２４−１及び１２４−Ｎは、たとえば、図１及び図３に関連して上述した特徴を含むことができる。ＲＮＣ１２４−１はＣＲＮＣ及び／又はＤＲＮＣであり、ＲＮＣ１２４−ＮはＳＲＮＣであると想定することができる。
【００５９】
図７にさらに示されている通り、ランダム・アクセス・チャネル（ＲＡＣＨ）（たとえば、アップリンク・トランスポート・チャネル）手順７０５は、ユーザ装置１１０−２と基地局１２２−１との間で実行することができる。一例では、ＲＡＣＨ手順７０５は、ユーザ装置１１０−２がブロードキャスト制御チャネル（ＢＣＨ）をデコードすること（たとえば、使用可能なＲＡＣＨサブチャネル、スクランブリング・コード、及びシグニチャを決定するため）と、ＲＡＣＨサブチャネルの１つ及びシグニチャの１つを選択することを含むことができる。ユーザ装置１１０−２は、ダウンリンク出力レベルを測定することができ、初期ＲＡＣＨ出力レベルを設定することができ、ＲＡＣＨプリアンブルを基地局１２２−１に送信することができ、基地局１２２−１がＲＡＣＨプリアンブルを検出したかどうかを判断するために取得インジケータ・チャネル（ＡＩＣＨ）をデコードすることができる。ＡＩＣＨ伝送がまったく検出されない場合、ユーザ装置１１０−２は、ＲＡＣＨプリアンブル伝送出力を増加することができ、ＲＡＣＨプリアンブルを基地局１２２−１に再伝送することができる。ＡＩＣＨ伝送が基地局１２２−１から検出されると、ユーザ装置１１０−２は、ＲＡＣＨ伝送のメッセージ部を伝送することができる。
【００６０】
アップリンク同期手順７１０は、ユーザ装置１１０−２と基地局１２２−１との間で実行することができる。アップリンク同期手順７１０は、基地局１２２−１がユーザ装置１１０−２からの信号をモニターすることと、モニターした信号に基づいて伝送時にタイミング調整を行うことを含むことができる。
【００６１】
図７にさらに示されている通り、ユーザ装置１１０−２が参照番号７１５によって示されているようにＣＣＣＨ上のＥ−ＤＣＨにアクセスしようと試みた場合、基地局１２２−１は、参照番号７２０によって示されているように、ユーザ装置１１０−２用のＥ−ＲＮＴＩを割り振ることができる。ユーザ装置１１０−２用のＥ−ＲＮＴＩを割り振った後、基地局１２２−１は、Ｉｕｂフレーミング・プロトコル（ＦＰ）を介して第１のメッセージ７２５（ユーザ装置１１０−１から受信した第１のＲＲＣメッセージを含むもの）をＲＮＣ１２４−１に提供することができる。第１のメッセージ７２５はユーザ装置１１０−２に割り振られたＥ−ＲＮＴＩを含むことができる。ＲＮＣ１２４−１が第１のメッセージ７２５（たとえば、第１のＲＲＣメッセージとＥ−ＲＮＴＩ）を受信すると、ＲＮＣ１２４−１は、参照番号７３０によって示されているように、ユーザ装置１１０−２用の専用Ｈ−ＲＮＴＩを割り振ることができ、アップリンク信号転送指示メッセージ７３５をＲＮＣ１２４−Ｎに提供することができる。アップリンク信号転送指示メッセージ７３５は、第１のＲＲＣメッセージと、割り振られたＥ−ＲＮＴＩと、専用Ｈ−ＲＮＴＩとを含むことができる。
【００６２】
ＲＮＣ１２４−Ｎは、アップリンク信号転送指示メッセージ７３５を受信することができ、ダウンリンク信号転送指示メッセージ７４０をＲＮＣ１２４−１に提供することができる。ダウンリンク信号転送指示メッセージ７４０は、ＲＲＣメッセージ応答と、割り振られたＥ−ＲＮＴＩと、専用Ｈ−ＲＮＴＩとを含むことができる。一実施形態では、メッセージ７３５及び７４０は、ＲＮＳＡＰ共通トランスポート・チャネル７４５を介してＲＮＣ１２４−１とＲＮＣ１２４−Ｎとの間で提供することができる。ＲＮＣ１２４−１は、ダウンリンク信号転送指示メッセージ７４０を受信することができ、Ｉｕｂフレーミング・プロトコル（ＦＰ）を介してメッセージ７５０（たとえば、「ＨＳ−ＤＳＣＨデータ・フレーム＜共通Ｈ−ＲＮＴＩ＞、＜ＲＲＣメッセージ応答＞、＜Ｅ−ＲＮＴＩ＞、＜専用Ｈ−ＲＮＴＩ＞」）を基地局１２２−１に提供することができる。図示の通り、メッセージ７５０は、ＲＲＣメッセージ応答と、割り振られたＥ−ＲＮＴＩと、専用Ｈ−ＲＮＴＩと、その他の情報とを含むことができる。基地局１２２−１は、メッセージ７５０を受信することができ、ＣＣＣＨ上の拡張ＦＡＣＨを介してメッセージ７５５（たとえば、ＲＲＣメッセージ応答と、割り振られたＥ−ＲＮＴＩと、専用Ｈ−ＲＮＴＩとを含むもの）をユーザ装置１１０−２に提供することができる。ユーザ装置１１０−２は、メッセージ７５５を受信することができ、参照番号７６０によって示されているように、割り振られたＥ−ＲＮＴＩに基づいてＤＣＣＨ／ＤＴＣＨ上の第１のコンテンション解消を開始することができる。
【００６３】
専用Ｈ−ＲＮＴＩがダウンリンクＲＲＣメッセージ応答とは無関係の手順で送信される場合、この独立手順による基地局１２２−１内の専用Ｈ−ＲＮＴＩの受信と、ユーザ装置１１０−２によるＲＲＣ応答メッセージの受信との間に競合状態が発生する可能性がある。独立手順の場合、第１のコンテンション解消（たとえば、ユーザ装置１１０−２による）の開始時に、割り振られたＥ−ＲＮＴＩと専用Ｈ−ＲＮＴＩとの関係を基地局１２２−１が受信していないリスクが存在する可能性がある。この結果としては、結果的にフレームが失われることになる不連続受信（ＤＲＸ）手順の妨害を含む可能性がある。
【００６４】
しかし、このような競合状態は回避することができる。たとえば、ＮＢＡＰ（又はＩｕｂ）フレーミング・プロトコル制御メッセージは競合状態を発生する可能性のある独立手順であると想定することができる。ＲＲＣメッセージ応答を搬送するＩｕｂフレームのヘッダを使用する場合、競合状態を回避することができる。ダウンリンクにより使用すべきＨ−ＲＮＴＩ（たとえば、共通Ｈ−ＲＮＴＩ）はメッセージ７５０（たとえば、ＨＳ−ＤＳＣＨデータ・フレーム・タイプ２メッセージ）に含めることができる。専用Ｈ−ＲＮＴＩ及び割り振られたＥ−ＲＮＴＩがメッセージ７５０に（たとえば、メッセージ７５０のスペア拡張部分に）含まれる場合、基地局１２２−１は、割り振られたＥ−ＲＮＴＩと専用Ｈ−ＲＮＴＩを関連付けることができる。従って、専用Ｈ−ＲＮＴＩは、ＲＲＣメッセージ（たとえば、フレーミング・プロトコル・フレームのペイロードとして）と、フレーム・プロトコル・ヘッダの両方で搬送することができる。割り振られたＥ−ＲＮＴＩ及び専用Ｈ−ＲＮＴＩは、ＲＲＣ手順の完了後にユーザ装置１１０−２がＣｅｌｌ＿ＦＡＣＨ状態、ＵＲＡ＿ＰＣＨ状態、及び／又はＣｅｌｌ＿ＰＣＨ状態になる場合に含めることができる。換言すれば、ダウンリンクＲＲＣメッセージがユーザ装置１１０−２をＣｅｌｌ＿ＤＣＨに再構成する場合、割り振られたＥ−ＲＮＴＩ及び専用Ｈ−ＲＮＴＩが含まれない可能性がある。
【００６５】
一実施形態では、割り振られたＨ−ＲＮＴＩについて基地局１２２−１に通知するために、図５に関連して上述したＮＢＡＰクラス「２」手順を使用することができる。Ｃｅｌｌ＿ＦＡＣＨ状態のＥ−ＤＣＨのＤＲＸ及びその他のレイヤ２処理のために選択された方法次第で、最初のコンテンション解消時に（たとえば、Ｅ−ＲＮＴＩに基づいて）基地局１２２−１における専用Ｈ−ＲＮＴＩの認識の欠落は許容できる可能性がある。このような場合、ＮＢＡＰクラス「２」手順を選択することができる。
【００６６】
ＲＮＣ１２４−１が専用Ｈ−ＲＮＴＩを新しいＨ−ＲＮＴＩに変更する場合、新しい専用Ｈ−ＲＮＴＩは、新しい専用Ｈ−ＲＮＴＩについてユーザ装置１１０−２に通知するダウンリンクＲＲＣメッセージと関連付けることができる。ＲＮＣ１２４−１は、Ｉｕｂフレームのヘッダに新しい情報要素（たとえば、Ｅ−ＲＮＴＩ及び新しい専用Ｈ−ＲＮＴＩ）を含めることができ、基地局１２２−１は、ユーザ装置１１０−２がＤＴＣＨ／ＤＣＣＨを使用するときにＩｕｂフレーム・ヘッダをチェックすることができる。他の実施形態では、ＲＮＣ１２４−１が専用Ｈ−ＲＮＴＩを変更すると、基地局１２２−１は、たとえば、ＮＢＡＰメッセージＵＥ状況指示メッセージを使用して、新しい専用Ｈ−ＲＮＴＩについて通知される可能性がある。
【００６７】
ＲＮＣ１２４−１は、どの専用Ｈ−ＲＮＴＩがユーザ装置１１０−２に割り振られるかについて基地局１２２−１に情報を送信することができ、ユーザ装置１１０−２はＥ−ＲＮＴＩによって識別することができる。Ｃｅｌｌ＿ＦＡＣＨ状態のＥ−ＤＣＨのＤＲＸ及びその他のレイヤ２処理のために選択された方法次第で、ＮＢＡＰ又はＩｕｂフレーミング・プロトコルのいずれかを使用することができる。たとえば、ダウンリンクＩｕｂフレームは、拡張ＲＡＣＨにより、Ｃｅｌｌ＿ＦＡＣＨ状態、ＵＲＡ＿ＰＣＨ状態、及び／又はＣｅｌｌ＿ＰＣＨ状態のユーザ装置に新しいか又は変更された専用Ｈ−ＲＮＴＩを送信するＲＲＣメッセージを搬送することができる。Ｉｕｂフレーム・プロトコル・ヘッダは、新しい専用Ｈ−ＲＮＴＩならびにユーザ装置に割り振られたＥ−ＲＮＴＩを含むことができる。他の例では、新しい専用Ｈ−ＲＮＴＩならびにユーザ装置１１０−２に割り振られたＥ−ＲＮＴＩを信号で伝えるために、ＮＢＡＰクラス「２」手順を使用することができる。代わって及び／又は加えて、割り振られたＨ−ＲＮＴＩについて基地局１２２−１に通知するために、ＮＢＡＰクラス「１」手順を使用することもできる。基地局１２２−１からＲＮＣ１２４−１に確認応答を送信することができる。従って、ＲＮＣ１２４−１は新しい専用Ｈ−ＲＮＴＩの受信を監視することができ、ＮＢＡＰメッセージ喪失のリスクを解消することができる。
【００６８】
図６及び図７はネットワーク部分６００及び７００の模範的なコンポーネントを示しているが、他の諸実施形態では、ネットワーク部分６００及び７００は、図６及び図７に描写されているものより少ないコンポーネント、異なるコンポーネント、異なる配置のコンポーネント、又は追加のコンポーネントを含むこともできる。さらに他の諸実施形態では、ネットワーク部分６００及び７００の１つ又は複数のコンポーネントは、ネットワーク部分６００及び７００の１つ又は複数の他のコンポーネントによって実行されるものとして記載されている１つ又は複数の他のタスクを実行することもできる。
【００６９】
図８は、本明細書に記載されている諸実施形態によりＥ−ＲＮＴＩを解放するための模範的なプロセス８００の流れ図を描写している。一実施形態では、プロセス８００は、基地局１２２−１及びＲＮＣ１２４−１によって実行することができる。他の諸実施形態では、プロセス８００の一部又は全部は、他のデバイス又は複数デバイスのグループ（たとえば、基地局１２２−１及びＲＮＣ１２４−１と通信する）と組み合わせて基地局１２２−１及びＲＮＣ１２４−１によって実行することができる。
【００７０】
図８に示されている通り、プロセス８００は、ＲＮＣ１２４−１を介してＣｅｌｌ＿ＦＡＣＨ状態又はＣｅｌｌ＿ＰＣＨ状態のユーザ装置に関する状態変化を識別すること（ブロック８１０）と、ＲＮＣ１２４−１を介してユーザ装置に関連するＥ−ＲＮＴＩに関する解放要求を開始すること（ブロック８２０）とを含むことができる。たとえば、図５に関連して上述した諸実施形態では、ＵＥ状態変化情報５２０を介してユーザ装置１１０−２に関連する状況変化（たとえば、セルを離れる／アイドルになる５１０）をＲＮＣ１２４−１に気付かせることができる。ＲＮＣ１２４−１は、Ｅ−ＲＮＴＩを解放すべきであることを暗示するようなユーザ装置１１０−２に関する状況変化を基地局１２２−１に通知することができる。一例では、ユーザ装置１１０−２に関連するＥ−ＲＮＴＩを解放すべきであるとＲＮＣ１２４−１が判断した場合、ＲＮＣ１２４−１は、Ｅ−ＲＮＴＩ解放要求５３０を開始することができ、基地局１２２−１にＥ−ＲＮＴＩ解放要求５３０を提供することができる。
【００７１】
図８に戻ると、基地局１２２−１はＣｅｌｌ＿ＦＡＣＨ状態又はＣｅｌｌ＿ＰＣＨ状態のユーザ装置に関連するＥ−ＲＮＴＩを開放することができ（ブロック８３０）、基地局１２２−１は（任意選択で）ユーザ装置に関連するＥ−ＲＮＴＩの解放を確認することができ（ブロック８４０）、ＲＮＣ１２４−１は（任意選択で）Ｅ−ＲＮＴＩ解放の確認応答を受信することができる（ブロック８５０）。たとえば、図５に関連して上述した諸実施形態では、基地局１２２−１がＥ−ＲＮＴＩ解放要求５３０を受信すると、基地局１２２−１は、参照番号５４０によって示されているように、セル内のユーザ装置１１０−２用のＥ−ＲＮＴＩを除去することができ、（任意選択で）参照番号５５０によって示されているように、Ｅ−ＲＮＴＩの解放の確認応答をＲＮＣ１２４−１に提供することができる。
【００７２】
図９は、本明細書に記載されている諸実施形態により非アクティブ・ユーザ装置に関連するＥ−ＲＮＴＩを除去するための模範的なプロセス９００の流れ図を示している。一実施形態では、プロセス９００は、基地局１２２−１によって実行することができる。他の諸実施形態では、プロセス９００の一部又は全部は、他のデバイス又は複数デバイスのグループ（たとえば、基地局１２２−１と通信する）と組み合わせて基地局１２２−１によって実行することができる。
【００７３】
図９に示されている通り、プロセス９００は、Ｃｅｌｌ＿ＦＡＣＨ状態のユーザ装置が非アクティブであると判断すること（ブロック９１０）と、非アクティブ・ユーザ装置の指示を運用及びメンテナンス（Ｏ＆Ｍ）システムに提供し、Ｏ＆Ｍシステムがクリーンアップ手順を開始して非アクティブ・ユーザ装置に関連するＥ−ＲＮＴＩを除去すること（ブロック９２０）とを含むことができる。たとえば、図５に関連して上述した諸実施形態では、ユーザ装置１１０−２が非アクティブであった（たとえば、時間しきい値より長いか及び／又はセル内の非アクティブ・ユーザ装置の数を定義する他のしきい値より長い）と基地局１２２−１が判断した場合、基地局１２２−１はユーザ装置１１０−２の非アクティブ性の指示５６０を運用及びメンテナンス（Ｏ＆Ｍ）システムに提供することができる。ユーザ装置１１０−２がしきい値の１つより長い間、非アクティブであった場合、Ｏ＆Ｍシステムは、基地局１２２−１を介してクリーンアップ手順５７０を開始することができる。クリーンアップ手順５７０は、ユーザ装置１１０−２に関連するＥ−ＲＮＴＩを直接除去するよう、基地局１２２−１に指示することができる。
【００７４】
図１０は、本明細書に記載されている諸実施形態によりＥ−ＲＮＴＩ／Ｈ−ＲＮＴＩメッセージングを提供するための模範的なプロセス１０００の流れ図を描写している。一実施形態では、プロセス１１００は、基地局１２２−１及びＲＮＣ１２４−１によって実行することができる。他の諸実施形態では、プロセス１１００の一部又は全部は、他のデバイス又は複数デバイスのグループ（たとえば、基地局１２２−１及びＲＮＣ１２４−１と通信する）と組み合わせて基地局１２２−１及びＲＮＣ１２４−１によって実行することができる。
【００７５】
図１０に示されている通り、プロセス１０００は、基地局１２２−１を介して、アイドル状態、Ｃｅｌｌ＿ＦＡＣＨ状態、ＵＲＡ＿ＰＣＨ状態、及び／又はＣｅｌｌ＿ＰＣＨ状態のユーザ装置から第１のメッセージを受信すること（ブロック１０１０）と、基地局１２２−１を介して、第２のメッセージ（Ｅ−ＲＮＴＩと、第１のメッセージを介して受信したＲＲＣメッセージとを含むもの）をＲＮＣ１２４−１に提供すること（ブロック１０２０）と、ＲＮＣ１２４−１を介して、第２のＲＲＣメッセージを受信すること（ブロック１０３０）とを含むことができる。たとえば、図６に関連して上述した諸実施形態では、ユーザ装置１１０−２は、ＣＣＣＨ上の基地局１２２−１に第１のメッセージ６１０を提供することができる。第１のメッセージ６１０は、たとえば、ＲＲＣメッセージを含むことができる。基地局１２２−１は、第２のメッセージ６２０（たとえば、Ｉｕｂフレーム）で第１のメッセージ６１０の内容をＲＮＣ１２４−１に転送することができる。第２のメッセージ６２０は、ユーザ装置１１０−２（たとえば、ユーザ装置１１０−２が新しいセルにアクセスするとき）に割り振られたＥ−ＲＮＴＩ（たとえば、Ｅ−ＲＮＴＩ４６０（図４））と、第１のメッセージ６１０に含まれるＲＲＣメッセージとを含むことができる。
【００７６】
図１０に戻ると、ＲＮＣ１２４−１は、ＳＲＮＣにメッセージ（拡張Ｃｅｌｌ＿ＦＡＣＨに関する専用Ｈ−ＲＮＴＩと、Ｅ−ＲＮＴＩと、ＲＲＣメッセージとを含むもの）を提供することができ（ブロック１０４０）、ＳＲＮＣからＲＮＳＡＰメッセージ（ＲＲＣメッセージ応答と、Ｅ−ＲＮＴＩと、専用Ｈ−ＲＮＴＩとを含むもの）を受信することができ（ブロック１０５０）、メッセージ（ＲＲＣメッセージ応答と、Ｅ−ＲＮＴＩと、専用Ｈ−ＲＮＴＩとを含むもの）を基地局１２２−１に提供することができる（ブロック１０６０）。たとえば、図６に関連して上述した諸実施形態では、ＲＮＣ１２４−１が第２のメッセージ６２０（ならびに、たとえば、Ｅ−ＲＮＴＩと、第１のメッセージ６１０に含まれるＲＲＣメッセージ）を受信すると、ＲＮＣ１２４−１は、メッセージ６３０（たとえば、ユーザ装置１１０−２に割り振られた専用Ｈ−ＲＮＴＩを含むもの）と、Ｅ−ＲＮＴＩと、第１のメッセージ６１０に含まれるＲＲＣメッセージとをＲＮＣ１２４−Ｎに提供することができる。メッセージ６３０は、ＲＮＳＡＰアップリンク信号転送指示メッセージ（たとえば、Ｉｕｒの場合）を含むことができる。ＲＮＣ１２４−Ｎは、ＲＲＣメッセージ応答と、専用Ｈ−ＲＮＴＩと、Ｅ−ＲＮＴＩとを含むＲＮＳＡＰメッセージ６４０（たとえば、ＲＮＳＡＰダウンリンク信号転送指示を使用するもの）をＲＮＣ１２４−１に提供することができる。ＲＮＣ１２４−１は、１つのフィールドのＲＲＣメッセージ応答と、他のフィールドの専用Ｈ−ＲＮＴＩと、さらに他のフィールドのＥ−ＲＮＴＩとを含むメッセージ６５０を基地局１２２−１に提供することができる。
【００７７】
図１０にさらに示されている通り、基地局１２２−１は、メッセージ（ＲＲＣメッセージ応答と、Ｅ−ＲＮＴＩと、専用Ｈ−ＲＮＴＩとを含むもの）をＲＮＣ１２４−１から受信することができ（ブロック１０７０）、ＲＲＣメッセージ応答をユーザ装置に提供することができる（ブロック１０８０）。たとえば、図６に関連して上述した諸実施形態では、基地局１２２−１は、メッセージ６５０を受信することができ、ＲＲＣメッセージ応答６６０（たとえば、メッセージ６５０に含まれるＲＲＣメッセージ応答）をユーザ装置１１０−２に提供することができる。ＲＲＣメッセージ応答６６０は、専用Ｈ−ＲＮＴＩとＥ−ＲＮＴＩとを含むことができる。ユーザ装置１１０−２がＲＲＣメッセージ応答６６０を受信すると、ユーザ装置１１０−２は、ＤＴＣＨ／ＤＣＣＨ及びＥ−ＲＮＴＩコンテンション解消を使用してＣｅｌｌ＿ＦＡＣＨ状態のＥ−ＤＣＨにアクセスしようと試みることができる。
【００７８】
本明細書に記載されている諸実施形態は、基地局が未使用のＥ−ＲＮＴＩを除去（又は解放）できるようにし、Ｃｅｌｌ＿ＦＡＣＨ状態のユーザ装置のためのアップリンク・チャネルとダウンリンク・チャネルの関係を基地局に気付かせることができる。本明細書に記載されている諸実施形態は、セル内のユーザ装置に関するＥ−ＲＮＴＩの固有の割り振りを行った後、未使用のＥ−ＲＮＴＩを除去（又は解放）することができ、Ｃｅｌｌ＿ＦＡＣＨ状態のＥ−ＤＣＨを使用してユーザ装置を制御している基地局に、専用Ｈ−ＲＮＴＩとＥ−ＲＮＴＩとの関係を配布することができる。さらに、本明細書に記載されている諸実施形態は、Ｃｅｌｌ＿ＦＡＣＨ状態のユーザ装置のためのアップリンク・チャネルとダウンリンク・チャネルの関係を基地局に提供し、基地局が（たとえば、ＤＲＸ及びその他の無線チャネル処理のために）その関係に気付くようにすることができる。
【００７９】
本明細書に記載されている諸実施形態は、例示及び説明を提供するものであるが、網羅するため又は開示された正確な形式に実装例を限定するためのものではない。変更例及び変形例は上記の教示を考慮すれば可能であり、実装例の実施から取得することもできる。たとえば、図８〜図１０に関して一連のブロックが記載されているが、他の諸実施形態ではブロックの順序を変更することができる。さらに、非従属ブロックを並行して実行することもできる。
【００８０】
上述の通り、模範的な諸実施形態は、図面に示されている実装例において多種多様な形のソフトウェア、ファームウェア、及びハードウェアで実装することができる。本明細書に記載されている模範的な諸実施形態を実装するために使用される実際のソフトウェア・コード又は専用制御ハードウェアは本発明を制限するものではない。従って、模範的な諸実施形態の動作及び挙動は特定のソフトウェア・コードに無関係に記載されており、本明細書の説明に基づいて模範的な諸実施形態を実装するためのソフトウェア及び制御ハードウェアを設計できることは言うまでもない。
【００８１】
特定の組み合わせの特徴が特許請求の範囲に列挙されているか及び／又は本明細書に開示されている場合でも、これらの組み合わせは本発明を限定するためのものではない。実際には、これらの特徴の多くは、特許請求の範囲に具体的に列挙されていないか及び／又は本明細書に開示されていない方法で組み合わせることができる。
【００８２】
本明細書で使用する場合、「含む（comprises/comprising）」という用語は、表明された特徴、整数、ステップ、又はコンポーネントの存在を指定するものと解釈されるが、１つ又は複数のその他の特徴、整数、ステップ、コンポーネント、あるいはそのグループの存在又は追加を排除するものではないことは強調すべきである。
【００８３】
本出願の説明で使用する要素、動作、又は命令はいずれも、そのように明示的に記載されていない限り、本発明にとって重大又は本質的なものであると解釈してはならない。また、本明細書で使用する冠詞「ａ」は、１つ又は複数の項目を含めるためのものである。１つの項目のみを意図する場合、「１つ（one）」という用語又は同様の表現を使用する。さらに、「基づく（based on）」という語句は、他に明示的な表明がない限り、「少なくとも一部分は基づく（based, at least in part, on）」ことを意味するためのものである。
【図１】
2011517185.tif 000004
【図２】
2011517185.tif 000005
【図３】
2011517185.tif 000006
【図４】
2011517185.tif 000007
【図５】
2011517185.tif 000008
【図６】
2011517185.tif 000009
【図７】
2011517185.tif 000010
【図８】
2011517185.tif 000011
【図９】
2011517185.tif 000012
【図１０】
2011517185.tif 000013
【手続補正書】
【提出日】平成22年1月28日(2010.1.28)
【手続補正１】
【補正対象書類名】明細書
【補正対象項目名】全文
【補正方法】変更
【補正の内容】
【発明の詳細な説明】
【技術分野】
【０００１】
本明細書に記載されている諸実施形態は、一般に、無線通信システムに関し、詳細には、セル・フォワード・アクセス・チャネル（Ｃｅｌｌ＿ＦＡＣＨ：cell forward access channel）状態のユーザ装置用の拡張専用チャネル（Ｅ−ＤＣＨ：enhanced dedicated channel）無線ネットワーク一時ＩＤ（radio network temporary identifier）（Ｅ−ＲＮＴＩ）及び高速ダウンリンク共用チャネル（ＨＳ−ＤＳＣＨ：high-speed downlink shared channel）ＲＮＴＩ（Ｈ−ＲＮＴＩ）の処理に関する。
【背景技術】
【０００２】
拡張専用チャネル（Ｅ−ＤＣＨ）は、Ｃｅｌｌ＿ＦＡＣＨ状態のユーザ装置用のトランスポート・チャネル（transport channel）として使用される。Ｅ−ＤＣＨは、共通制御チャネル（ＣＣＣＨ：common control channel）、専用制御チャネル（ＤＣＣＨ：dedicated control channel）、及び／又は専用トラフィック・チャネル（ＤＴＣＨ：dedicated traffic channel）伝送に使用される。１つのＣＣＣＨメッセージは複数の伝送タイミング間隔（ＴＴＩ：transmission timing interval）で送信することができ、従って、再配列が必要になる。特定のユーザ装置に一時的に付与されたＥ−ＤＣＨチャネル上では、データ・パケットがそのネットワークに設定される。ユーザ装置へのリソースの付与を制御するために使用されるダウンリンク方向の制御チャネルが存在する。ユーザ装置は、Ｅ−ＤＣＨ無線ネットワーク一時ＩＤ（Ｅ−ＲＮＴＩ）により、どの制御メッセージが関連するものであるかを認識する。Ｅ−ＲＮＴＩは、ユーザ装置がＥ−ＤＣＨを確立するときに基地局（又はノードＢ）によって割り振られ、そのＥ−ＤＣＨを搬送するセル内で固有のものである。Ｅ−ＲＮＴＩは、ユーザ装置がＥ−ＤＣＨ共通チャネルにアクセスするときにメディア・アクセス制御（ＭＡＣ：media access control）ヘッダに含まれる可能性がある。Ｅ−ＲＮＴＩを備えたＥ−ＤＣＨ絶対付与チャネル（ＡＧＣＨ：absolute grant channel）はコンテンション解消（contention resolution）に使用される。ＣＣＣＨについてはコンテンション解消はまったく行われない。
【０００３】
ユーザ装置に割り振られたＥ−ＲＮＴＩは、Ｅ−ＤＣＨを使用しているすべてのユーザ装置（すなわち、Ｃｅｌｌ＿ＦＡＣＨ状態にあるユーザ装置及びＣｅｌｌ＿ＤＣＨ状態にあるユーザ装置）間のセル内で固有のものでなければならない。
【０００４】
アップリンクの拡張Ｃｅｌｌ＿ＦＡＣＨの場合、Ｃｅｌｌ＿ＦＡＣＨ状態のＥ−ＤＣＨ伝送をサポートするためにＭＡＣ−ｉ及びＭＡＣ−ｉｓが使用される。Ｅ−ＤＣＨの場合にＣｅｌｌ＿ＦＡＣＨ状態のＤＣＣＨ／ＤＴＣＨ伝送を処理するために、ユーザ装置あたり１つのＭＡＣ−ｉｓエンティティがサービス提供無線ネットワーク・コントローラ（ＲＮＣ：radio network controller）に位置している。ＣＣＣＨ用のＭＡＣ−ｉｓは制御ＲＮＣに位置している。
【０００５】
ダウンリンクの場合、Ｃｅｌｌ＿ＦＡＣＨユーザは高速パケット・アクセス（ＨＳＰＡ：high-speed packet access）チャネルも使用することができる。Ｃｅｌｌ＿ＦＡＣＨ状態のユーザ装置は、ＦＡＣＨ上の代わりにＨＳ−ＤＳＣＨ上でデータ・パケットを受信する。ＨＳ−ＤＳＣＨは、ダウンリンク上のパケットをユーザ装置に送信する高速ダウンリンク・パケット・アクセス（ＨＳＤＰＡ：high-speed downlink packet access）ユニバーサル・モバイル通信システム（ＵＭＴＳ：universal mobile telecommunications system）で使用されるチャネルである。ダウンリンクの拡張Ｃｅｌｌ＿ＦＡＣＨにより、Ｃｅｌｌ＿ＦＡＣＨ状態のユーザにはＨＳ−ＤＳＣＨ無線ネットワーク・トランザクションＩＤ（Ｈ−ＲＮＴＩ）が割り振られる。Ｈ−ＲＮＴＩは、ユーザ装置がＨＳ−ＤＳＣＨチャネルを確立するときに制御ＲＮＣ（ＣＲＮＣ）によって割り振られ、ＨＳ−ＤＳＣＨを搬送するセル内で固有のものである。
【０００６】
上述の通り、Ｅ−ＲＮＴＩは基地局によって割り振られ、Ｈ−ＲＮＴＩは制御ＲＮＣによって割り振られる。基地局におけるＥ−ＲＮＴＩの割り振りには、同じノードがＣｅｌｌ＿ＦＡＣＨ状態及びＣｅｌｌ＿ＤＣＨ状態のユーザにそのＥ−ＲＮＴＩを割り振り、その結果、セル内のＥ−ＲＮＴＩの固有性を保証するという利点がある場合でも、このような構成にはいくつかの不利点がある。たとえば、このような構成は、必要なときにＣｅｌｌ＿ＦＡＣＨユーザ装置に割り振られた未使用のＥ−ＲＮＴＩを除去（又は解放）しない。さらに、異なるノードがＨ−ＲＮＴＩ及びＥ−ＲＮＴＩを割り振るので、専用Ｈ−ＲＮＴＩ（たとえば、拡張ＦＡＣＨに使用されるもの）とＥ−ＲＮＴＩとの関係は、Ｃｅｌｌ＿ＦＡＣＨ状態のＥ−ＤＣＨを使用してユーザ装置をサポートするノードにとって未知のものである。基地局は、不連続受信（ＤＲＸ：discontinuous reception）及びその他の無線チャネル処理のためにこの関係を把握する必要がある。２００８年３月３１日〜４月３日開催の3GPP TSG-RAN WG3 Meeting #59bis Shenzhen, China においてNokia Siemens Networksが発表した「On E-RNTI Allocation for UE with Enhanced UL in Cell_FACH」（Nokia R3-080796）はＣｅｌｌ＿ＦＡＣＨ状態のＥ−ＲＮＴＩの割り振りに関するものである。
【発明の概要】
【発明が解決しようとする課題】
【０００７】
本発明の目的は、上記の不利点のうちの少なくともいくつかを克服し、基地局が未使用のＥ−ＲＮＴＩを除去（又は解放）できるようにし、Ｃｅｌｌ＿ＦＡＣＨ状態のユーザ装置のためのアップリンク・チャネルとダウンリンク・チャネルの関係を基地局に気付かせることにある。
【課題を解決するための手段】
【０００８】
本明細書に記載されている諸実施形態は、Ｅ−ＲＮＴＩがもはやユーザ装置によって使用されないときに割り振られたＥ−ＲＮＴＩを解放し、解放されたＥ−ＲＮＴＩを基地局から除去するという問題を解決することができる。たとえば、無線ネットワーク・コントローラ（たとえば、ユーザ装置による信号に基づくもの）は、Ｅ−ＲＮＴＩを基地局から除去できる時期を把握することができ、基地局が他のユーザ装置による使用のためにＥ−ＲＮＴＩを除去できるという指示を提供するメッセージを（たとえば、基地局に）伝送することができる。
【０００９】
この実施形態の模範的な実装例のデバイスは、複数の命令を保管するためのメモリと、セル・フォワード・アクセス・チャネル（Ｃｅｌｌ＿ＦＡＣＨ）状態のユーザ装置への拡張専用チャネル無線ネットワーク一時ＩＤ（Ｅ−ＲＮＴＩ）の割り振りに関する情報を受信するためにメモリ内の命令を実行するための処理装置とを含むことができる。この処理装置は、ユーザ装置に関連する状態変化に関する情報を受信し、状態変化に基づいてＥ−ＲＮＴＩを解放できると判断し、状態変化に応答してＥ−ＲＮＴＩを解放し、その結果、他のユーザ装置がＥ−ＲＮＴＩを使用できるようにするための要求を他のデバイスに提供するためにメモリ内の命令をさらに実行することができる。
【００１０】
この実施形態の他の実装例の方法は、第１のデバイスと第２のデバイスとを含むことができる無線環境で実装することができ、第１のデバイスは、セル・フォワード・アクセス・チャネル（Ｃｅｌｌ＿ＦＡＣＨ）状態のユーザ装置によるセル・アクセスに関する情報を受信し、セル・アクセスに関する情報を受信したときにＣｅｌｌ＿ＦＡＣＨ状態のユーザ装置用の拡張専用チャネル無線ネットワーク一時ＩＤ（Ｅ−ＲＮＴＩ）を割り振る。この方法は、第２のデバイスにより、Ｃｅｌｌ＿ＦＡＣＨ状態のユーザ装置へのＥ−ＲＮＴＩの割り振りに関する情報を受信することと、第２のデバイスにより、ユーザ装置と第２のデバイスとの間の信号に関する状態情報を受信することを含むことができる。この方法は、第２のデバイスにより、状態情報に応答してＥ−ＲＮＴＩを解放し、その結果、他のユーザ装置がＥ−ＲＮＴＩを使用できるようにするための要求を第１のデバイスに提供することも含むことができる。
【００１１】
本明細書に記載されている他の実施形態は、基地局がＣｅｌｌ＿ＦＡＣＨ状態のユーザ装置のためのアップリンク・チャネルとダウンリンク・チャネルの関係に気付いていないという問題を解決することができる。たとえば、無線ネットワーク・コントローラは、基地局に伝送されたメッセージの情報要素として、割り振られたＥ−ＲＮＴＩと割り振られたＨ−ＲＮＴＩ（たとえば、アップリンク・チャネルとダウンリンク・チャネルに関連する一時ＩＤを提供するもの）の両方を提供することができる。
【００１２】
この実施形態の模範的な実装例のシステムは、セル・フォワード・アクセス・チャネル（Ｃｅｌｌ＿ＦＡＣＨ）状態のユーザ装置によるセル・アクセスに関する情報を受信し、セル・アクセスに関する情報を受信したときにＣｅｌｌ＿ＦＡＣＨ状態のユーザ装置用の拡張専用チャネル無線ネットワーク一時ＩＤ（Ｅ−ＲＮＴＩ）を割り振るための基地局を含むことができる。このシステムは、Ｅ−ＲＮＴＩを含む第１のメッセージを基地局から受信し、専用高速ダウンリンク共用チャネル無線ネットワーク・トランザクションＩＤ（Ｈ−ＲＮＴＩ）及びＥ−ＲＮＴＩを含む第２のメッセージを生成し、第２のメッセージを基地局に提供するための無線ネットワーク・コントローラ（ＲＮＣ）をさらに含むことができる。
【００１３】
この実施形態の他の実装例のデバイスは、複数の命令を保管するためのメモリと、セル・フォワード・アクセス・チャネル（Ｃｅｌｌ＿ＦＡＣＨ）状態のユーザ装置によるセル・アクセスに関する情報を受信し、セル・アクセスに関する情報を受信したときにＣｅｌｌ＿ＦＡＣＨ状態のユーザ装置用の拡張専用チャネル無線ネットワーク一時ＩＤ（Ｅ−ＲＮＴＩ）を割り振るためにメモリ内の命令を実行するための処理装置とを含むことができる。この処理装置は、Ｅ−ＲＮＴＩを含む第１のメッセージを無線ネットワーク・コントローラ（ＲＮＣ）に提供し、専用高速ダウンリンク共用チャネル無線ネットワーク・トランザクションＩＤ（Ｈ−ＲＮＴＩ）及びＥ−ＲＮＴＩを含む第２のメッセージを無線ネットワーク・コントローラ（ＲＮＣ）から受信するためにメモリ内の命令をさらに実行することができる。
【００１４】
本明細書に記載されている諸実施形態は、セル内のユーザ装置に関するＥ−ＲＮＴＩの固有の割り振りを行った後、未使用のＥ−ＲＮＴＩを除去（又は解放）することができ、Ｃｅｌｌ＿ＦＡＣＨ状態のＥ−ＤＣＨを使用してユーザ装置を制御している基地局に、専用Ｈ−ＲＮＴＩとＥ−ＲＮＴＩとの関係を配布することができる。さらに、本明細書に記載されている諸実施形態は、Ｃｅｌｌ＿ＦＡＣＨ状態のユーザ装置のためのアップリンク・チャネルとダウンリンク・チャネルの関係を基地局に提供し、基地局が（たとえば、ＤＲＸ及びその他の無線チャネル処理のために）その関係に気付くようにすることができる。
【図面の簡単な説明】
【００１５】
【図１】本明細書に記載されているシステム及び／又は方法を実装可能な模範的なネットワークの図を描写している。
【図２】図１に描写されている基地局の模範的なコンポーネントの図を示している。
【図３】図１に示されている無線ネットワーク・コントローラの模範的なコンポーネントの図を描写している。
【図４】図１に示されているネットワークの模範的な一部分のコンポーネントによって実行可能な模範的なＥ−ＲＮＴＩ割り振り手順の図を描写している。
【図５】図１に描写されているネットワークの模範的な一部分のコンポーネントによって実行可能な模範的なＥ−ＲＮＴＩ解放手順の図を示している。
【図６】図１に示されているネットワークの模範的な一部分のコンポーネントによって提供可能な模範的なＥ−ＲＮＴＩ／Ｈ−ＲＮＴＩメッセージングの図を描写している。
【図７】図１に示されているネットワークの模範的な一部分のコンポーネントによって提供可能な模範的なＥ−ＲＮＴＩ／Ｈ−ＲＮＴＩメッセージングの図を描写している。
【図８】本明細書に記載されている諸実施形態によりＥ−ＲＮＴＩを解放するための模範的なプロセスの流れ図を示している。
【図９】本明細書に記載されている諸実施形態により非アクティブ・ユーザ装置に関連するＥ−ＲＮＴＩを除去するための模範的なプロセスの流れ図を描写している。
【図１０】本明細書に記載されている諸実施形態によりＥ−ＲＮＴＩ／Ｈ−ＲＮＴＩメッセージングを提供するための模範的なプロセスの流れ図を示している。
【発明を実施するための形態】
【００１６】
以下の詳細な説明は添付図面を参照するものである。異なる図面の同じ参照番号は、同じか又は同様の要素を識別することができる。また、以下の詳細な説明は本発明を制限するものではない。
【００１７】
本明細書に記載されている諸実施形態は、基地局が未使用のＥ−ＲＮＴＩを除去（又は解放）できるようにし、Ｃｅｌｌ＿ＦＡＣＨ状態のユーザ装置のためのアップリンク・チャネルとダウンリンク・チャネルの関係を基地局に気付かせることができる。
【００１８】
図１は、本明細書に記載されているシステム及び／又は方法を実装可能な模範的なネットワーク１００の図を描写している。図示の通り、ネットワーク１００は、ユーザ装置（ＵＥ）１１０−１〜１１０−Ｌのグループ（ひとまとめにして「ユーザ装置１１０」と呼び、場合によっては個別に「ユーザ装置１１０」と呼ぶ）と、無線アクセス・ネットワーク（ＲＡＮ）１２０と、コア・ネットワーク（ＣＮ）１３０とを含むことができる。簡単にするため、図１には、４つのユーザ装置１１０と、１つの無線アクセス・ネットワーク１２０と、１つのコア・ネットワーク１３０が示されている。実際には、それ以上のＵＥ１１０、無線アクセス・ネットワーク１２０、及び／又はコア・ネットワーク１３０が存在する可能性がある。また、場合によっては、ネットワーク１００内の１つのコンポーネント（たとえば、ユーザ装置１１０、無線アクセス・ネットワーク１２０、及びコア・ネットワーク１３０のうちの１つ又は複数）が、ネットワーク１００内の他のコンポーネント又は複数コンポーネントのグループによって実行されるものとして記載されている１つ又は複数の機能を実行することもできる。
【００１９】
ユーザ装置１１０は、無線アクセス・ネットワーク１２０との間で音声及び／又はデータを送信／受信できる１つ又は複数のデバイスを含むことができる。ユーザ装置１１０は、たとえば、無線電話、パーソナル・コミュニケーションズ・システム（ＰＣＳ）端末（たとえば、セルラー無線電話とデータ処理及びデータ通信機能を結合することができるもの）、携帯情報端末（ＰＤＡ）（たとえば、無線電話、ページャ、インターネット／イントラネット・アクセスなどを含むことができるもの）、ラップトップ・コンピュータなどを含むことができる。
【００２０】
無線アクセス・ネットワーク１２０は、ユーザ装置１１０及びコア・ネットワーク１３０に音声及び／又はデータを伝送するための１つ又は複数のデバイスを含むことができる。示されている通り、無線アクセス・ネットワーク１２０は、基地局（ＢＳ）１２２−１〜１２２−Ｍのグループ（ひとまとめにして「基地局１２２」と呼び、場合によっては個別に「基地局１２２」と呼ぶ）と、無線ネットワーク・コントローラ（ＲＮＣ）１２４−１〜１２４−Ｎのグループ（ひとまとめにして「無線ネットワーク・コントローラ１２４」と呼び、場合によっては個別に「無線ネットワーク・コントローラ１２４」と呼ぶ）とを含むことができる。簡単にするため、図１には、４つの基地局１２２と、２つの無線ネットワーク・コントローラ１２４が示されている。実際には、それ以上又はそれ以下の基地局１２２及び／又は無線ネットワーク・コントローラ１２４が存在する可能性がある。また、場合によっては、無線アクセス・ネットワーク１２０内の１つのコンポーネント（たとえば、基地局１２２及び無線ネットワーク・コントローラ１２４のうちの１つ又は複数）が、無線アクセス・ネットワーク１２０内の他のコンポーネント又は複数コンポーネントのグループによって実行されるものとして記載されている１つ又は複数の機能を実行することもできる。
【００２１】
基地局１２２（「ノードＢ」とも呼ぶ）は、無線ネットワーク・コントローラ１２４から音声及び／又はデータを受信し、エア・インターフェースを介してユーザ装置１１０にその音声及び／又はデータを送信する１つ又は複数のデバイスを含むことができる。基地局１２２は、エア・インターフェースによりユーザ装置１１０から音声及び／又はデータを受信し、無線ネットワーク・コントローラ１２４又はその他のユーザ装置１１０にその音声及び／又はデータを送信する１つ又は複数のデバイスも含むことができる。
【００２２】
一実施形態では、基地局１２２は、Ｃｅｌｌ＿ＦＡＣＨ状態のユーザ装置１１０によるセル・アクセスに関する情報を受信することができ、セル・アクセスに関する情報を受信したときにＣｅｌｌ＿ＦＡＣＨ状態のユーザ装置１１０用のＥ−ＲＮＴＩを割り振ることができる。基地局１２２は、Ｅ−ＲＮＴＩを含む第１のメッセージを無線ネットワーク・コントローラ１２４に提供することができ、Ｈ−ＲＮＴＩ及びＥ−ＲＮＴＩを含む第２のメッセージを無線ネットワーク・コントローラ１２４から受信することができる。
【００２３】
無線ネットワーク・コントローラ１２４は、基地局１２２を制御し管理する１つ又は複数のデバイスを含むことができる。無線ネットワーク・コントローラ１２４は、無線ネットワーク・サービスの利用を管理するためにデータ処理を実行するデバイスも含むことができる。無線ネットワーク・コントローラ１２４は、基地局１２２、その他の無線ネットワーク・コントローラ１２４、及び／又はコア・ネットワーク１３０との間で音声及びデータを送信／受信することができる。
【００２４】
無線ネットワーク・コントローラ１２４は、制御無線ネットワーク・コントローラ（ＣＲＮＣ）、ドリフト無線ネットワーク・コントローラ（ＤＲＮＣ）、又はサービス提供無線ネットワーク・コントローラ（ＳＲＮＣ）として動作することができる。ＣＲＮＣは、基地局１２２のリソースを制御する役割を担うことができる。これに対して、ＳＲＮＣは、特定のユーザ装置１１０に対応することができ、そのユーザ装置１１０への接続を管理することができる。同様に、ＤＲＮＣは、ＳＲＮＣと同様の役割を果たすことができる（たとえば、ＳＲＮＣと特定のユーザ装置１１０との間のトラフィックを経路指定することができる）。
【００２５】
図１に示されている通り、無線ネットワーク・コントローラ１２４は、Ｉｕｂインターフェースを介して基地局１２２に接続することができ、Ｉｕｒインターフェースを介して他の無線ネットワーク・コントローラ１２４に接続することができる。
【００２６】
一実施形態では、無線ネットワーク・コントローラ１２４は、Ｃｅｌｌ＿ＦＡＣＨ状態のユーザ装置１１０へのＥ−ＲＮＴＩの割り振りに関する情報を受信することができ、ユーザ装置１１０に関連する状態変化に関する情報を受信することができる。無線ネットワーク・コントローラ１２４は、状態変化に基づいてＥ−ＲＮＴＩを解放できると判断することができ、状態変化に応答してＥ−ＲＮＴＩを解放し、その結果、他のユーザ装置１１０がＥ−ＲＮＴＩを使用できるようにするための要求を基地局１２２に提供することができる。
【００２７】
コア・ネットワーク１３０は、回線交換網及び／又はパケット交換網に音声及び／又はデータを転送／受信する１つ又は複数のデバイスを含むことができる。一実施形態では、コア・ネットワーク１３０は、たとえば、移動交換センター（ＭＳＣ：Mobile Switching Center）、ゲートウェイＭＳＣ（ＧＭＳＣ）、メディア・ゲートウェイ（ＭＧＷ）、サービス提供汎用パケット無線サービス（ＧＰＲＳ：General Packet Radio Service）サポート・ノード（ＳＧＳＮ）、ゲートウェイＧＰＲＳサポート・ノード（ＧＧＳＮ）、及び／又はその他のデバイスを含むことができる。
【００２８】
図２は、基地局１２２の模範的なコンポーネントの図を示している。図２に示されている通り、基地局１２２は、アンテナ２１０と、トランシーバ（ＴＸ／ＲＸ）２２０と、処理システム２３０と、Ｉｕｂインターフェース（Ｉ／Ｆ）２４０とを含むことができる。
【００２９】
アンテナ２１０は、１つ又は複数の指向性アンテナ及び／又は全方向性アンテナを含むことができる。トランシーバ２２０は、アンテナ２１０に関連付けることができ、アンテナ２１０を介してネットワーク１００などのネットワーク内でシンボル・シーケンスを送信及び／又は受信するためのトランシーバ回路を含むことができる。
【００３０】
処理システム２３０は、基地局１２２の動作を制御することができる。処理システム２３０は、トランシーバ２２０及びＩｕｂインターフェース２４０を介して受信した情報を処理することもできる。処理システム２３０は、接続の品質及び強度をさらに測定することができ、フレーム・エラー率（ＦＥＲ：frame error rate）を決定することができ、この情報を無線ネットワーク・コントローラ１２４に伝送することができる。示されている通り、処理システム２３０は、処理装置２３２とメモリ２３４とを含むことができる。
【００３１】
処理装置２３２は、１つ又は複数のプロセッサ、マイクロプロセッサ、特定用途向け集積回路（ＡＳＩＣ）、フィールド・プログラマブル・ゲート・アレイ（ＦＰＧＡ）などを含むことができる。処理装置２３２は、トランシーバ２２０及びＩｕｂインターフェース２４０を介して受信した情報を処理することができる。この処理は、たとえば、データ変換、順方向誤り訂正（ＦＥＣ：forward error correction）、レート適応（rate adaptation）、広帯域符号分割多元接続（ＷＣＤＭＡ）拡散／広がり（spreading/dispreading）、横軸位相偏移変調（ＱＰＳＫ）などを含むことができる。加えて、処理装置２３２は、制御メッセージ及び／又はデータ・メッセージを生成することができ、トランシーバ２２０及び／又はＩｕｂインターフェース２４０を介してこれらの制御メッセージ及び／又はデータ・メッセージを伝送させることができる。また、処理装置２３２は、トランシーバ２２０及び／又はＩｕｂインターフェース２４０から受信した制御メッセージ及び／又はデータ・メッセージを処理することもできる。
【００３２】
メモリ２３４は、処理装置２３２によって使用可能なデータ及び命令を保管するためにランダム・アクセス・メモリ（ＲＡＭ）、読み取り専用メモリ（ＲＯＭ）、及び／又は他のタイプのメモリを含むことができる。
【００３３】
Ｉｕｂインターフェース２４０は、基地局１２２が無線ネットワーク・コントローラ１２４にデータを送信し、そこからデータを受信できるようにする１つ又は複数のライン・カード（line card）を含むことができる。
【００３４】
本明細書に記載されている通り、基地局１２２は、メモリ２３４などのコンピュータ可読媒体に収容されているアプリケーションのソフトウェア命令を処理装置２３２が実行したことに応答して特定の動作を実行することができる。コンピュータ可読媒体は、物理又は論理メモリ素子として定義することができる。論理メモリ素子は、単一の物理メモリ素子内のメモリ空間を含むか又は複数の物理メモリ素子間に分散されたメモリ空間を含むことができる。ソフトウェア命令は、アンテナ２１０及びトランシーバ２２０を介して他のコンピュータ可読媒体又は他のデバイスからメモリ２３４内に読み込むことができる。メモリに収容されているソフトウェア命令により、処理装置２３２は本明細書に記載されているプロセスを実行することができる。代わって、本明細書に記載されているプロセスを実装するために、ソフトウェア命令の代わりに又はソフトウェア命令と組み合わせてハードワイヤード回路を使用することができる。従って、本明細書に記載されている諸実施形態は、ハードウェア回路とソフトウェアとの特定の組み合わせに限定されない。
【００３５】
図２は基地局１２２の模範的なコンポーネントを示しているが、他の諸実施形態では、基地局１２２は、図２に描写されているものより少ないコンポーネント、異なるコンポーネント、異なる配置のコンポーネント、又は追加のコンポーネントを含むこともできる。さらに他の諸実施形態では、基地局１２２の１つ又は複数のコンポーネントは、基地局１２２の１つ又は複数の他のコンポーネントによって実行されるものとして記載されている１つ又は複数の他のタスクを実行することもできる。
【００３６】
図３は、無線ネットワーク・コントローラ１２４の模範的なコンポーネントの図を描写している。図示の通り、無線ネットワーク・コントローラ１２４は、処理システム３１０、Ｉｕｂインターフェース３２０、Ｉｕｒインターフェース３３０、及び／又はその他のインターフェース３４０を含むことができる。
【００３７】
処理システム３１０は、無線ネットワーク・コントローラ１２４の動作を制御することができる。示されている通り、処理システム３１０は、処理装置３１２とメモリ３１４とを含むことができる。処理装置３１２は、Ｉｕｂインターフェース３２０と、Ｉｕｒインターフェース３３０と、その他のインターフェース３４０との間のプロトコル交換を処理することができる。加えて、処理装置３１２は、制御メッセージ及び／又はデータ・メッセージを生成し、インターフェース３２０〜３４０を介してこれらの制御メッセージ及び／又はデータ・メッセージを伝送することができる。処理装置３１２は、インターフェース３２０〜３４０から受信した制御メッセージ及び／又はデータ・メッセージを処理することもできる。一実施形態では、処理装置３１２は、１つ又は複数のプロセッサ、マイクロプロセッサ、特定用途向け集積回路（ＡＳＩＣ）、フィールド・プログラマブル・ゲート・アレイ（ＦＰＧＡ）などを含むことができる。メモリ３１４は、処理装置３１２によって使用可能なデータ及び命令を保管するためにランダム・アクセス・メモリ（ＲＡＭ）、読み取り専用メモリ（ＲＯＭ）、及び／又は他のタイプのメモリを含むことができる。
【００３８】
Ｉｕｂインターフェース３２０は、無線ネットワーク・コントローラ１２４が基地局１２２に制御メッセージ及び／又はデータ・メッセージを送信し、そこから制御メッセージ及び／又はデータ・メッセージを受信できるようにする１つ又は複数のライン・カードを含むことができる。Ｉｕｒインターフェース３３０は、無線ネットワーク・コントローラ１２４が他の無線ネットワーク・コントローラに制御メッセージ及び／又はデータ・メッセージを送信し、そこから制御メッセージ及び／又はデータ・メッセージを受信できるようにする１つ又は複数のライン・カードを含むことができる。その他のインターフェース３４０は、その他のデバイス及び／又はネットワークへのインターフェースを含むことができる。たとえば、その他のインターフェース３４０は、回線交換音声ネットワークへのコア・ネットワーク・インターフェースであるＩｕｃｓインターフェースと、パケット交換データ・ネットワークへのコア・ネットワーク・インターフェースであるＩｕｐｓインターフェースとを含むことができる。
【００３９】
本明細書に記載されている通り、無線ネットワーク・コントローラ１２４は、メモリ３１４などのコンピュータ可読媒体に収容されているアプリケーションのソフトウェア命令を処理装置３１２が実行したことに応答して特定の動作を実行することができる。ソフトウェア命令は、他のコンピュータ可読媒体又は他のデバイスからメモリ３１４内に読み込むことができる。メモリに収容されているソフトウェア命令により、処理装置３１２は本明細書に記載されているプロセスを実行することができる。代わって、本明細書に記載されているプロセスを実装するために、ソフトウェア命令の代わりに又はソフトウェア命令と組み合わせてハードワイヤード回路を使用することができる。従って、本明細書に記載されている諸実施形態は、ハードウェア回路とソフトウェアとの特定の組み合わせに限定されない。
【００４０】
図３は無線ネットワーク・コントローラ１２４の模範的なコンポーネントを示しているが、他の諸実施形態では、無線ネットワーク・コントローラ１２４は、図３に描写されているものより少ないコンポーネント、異なるコンポーネント、異なる配置のコンポーネント、又は追加のコンポーネントを含むこともできる。さらに他の諸実施形態では、無線ネットワーク・コントローラ１２４の１つ又は複数のコンポーネントは、無線ネットワーク・コントローラ１２４の１つ又は複数の他のコンポーネントによって実行されるものとして記載されている１つ又は複数の他のタスクを実行することもできる。
【００４１】
図４は、ネットワーク１００の模範的な一部分４００のコンポーネントによって実行可能な模範的なＥ−ＲＮＴＩ割り振り手順の図を描写している。図示の通り、模範的なネットワーク部分４００は、ユーザ装置１１０−１と、ユーザ装置１１０−２と、基地局１２２−１と、ＲＮＣ１２４−１とを含むことができる。ユーザ装置１１０−１及び１１０−２は、たとえば、図１に関連して上述した特徴を含むことができる。基地局１２２−１は、たとえば、図１及び図２に関連して上述した特徴を含むことができる。ＲＮＣ１２４−１は、たとえば、図１及び図３に関連して上述した特徴を含むことができる。
【００４２】
図４にさらに示されている通り、ユーザ装置１１０−１はＣｅｌｌ＿ＤＣＨ状態４１０にすることができ、基地局１２２−１はＣｅｌｌ＿ＤＣＨ状態４１０のユーザ装置１１０−１用のＥ−ＲＮＴＩ４２０を割り振ることができる。基地局１２２−１は、（たとえば、ノードＢアプリケーション部（ＮＢＡＰ）及び／又は無線ネットワーク・サブシステム・アプリケーション部（ＲＮＳＡＰ）無線リンク専用信号を介して）割り振られたＥ−ＲＮＴＩ４２０についてＲＮＣ１２４−１に通知することができる。たとえば、基地局１２２−１は、このサービス提供無線リンクをセットアップする専用無線リンク手順に関連する応答メッセージでＥ−ＲＮＴＩ４２０についてＲＮＣ１２４−１に通知することができる。基地局１２２−１がＥ−ＲＮＴＩ４２０についてＲＮＣ１２４−１に通知した後、ＲＮＣ１２４−１は、無線リソース制御（ＲＲＣ）信号４３０を介してＥ−ＲＮＴＩ４２０についてユーザ装置１１０−１に通知することができる。Ｉｕｂ及びＩｕｒによる専用無線リンク関連信号がまったく存在しない可能性があるので、ユーザ装置がＣｅｌｌ＿ＦＡＣＨ状態にあるときはこのような手順が適用可能ではない可能性がある。
【００４３】
ユーザ装置１１０−２はＣｅｌｌ＿ＦＡＣＨ状態４４０にすることができ、ユーザ装置１１０−１及びユーザ装置１１０−２用に割り振られたＥ−ＲＮＴＩは１つのセル内で固有のものにすることができる。従って、基地局１２２−１は、ユーザ装置に関連する状態にかかわらず、Ｅ−ＲＮＴＩを割り振ることができる。後方互換性のために、基地局１２２−１は、ユーザ装置１１０−２など、Ｃｅｌｌ＿ＦＡＣＨ状態のユーザ装置用のＥ−ＲＮＴＩを割り振ることができる。参照番号４５０によって示されているように、ユーザ装置１１０−２が（たとえば、セル更新、ＵＴＲＡＮ登録エリア（ＵＲＡ）更新、ＲＲＣ接続要求などを介して）Ｃｅｌｌ＿ＦＡＣＨ状態のＥ−ＤＣＨ用のＣＣＣＨ上の新しいセルにアクセスすると、基地局１２２−１はユーザ装置１１０−２用のＥ−ＲＮＴＩ４６０を割り振ることができる。基地局１２２−１は、割り振られたＥ−ＲＮＴＩ４６０についてＲＮＣ１２４−１に通知することができる。基地局１２２−１がＥ−ＲＮＴＩ４６０についてＲＮＣ１２４−１に通知した後、ＲＮＣ１２４−１は、（たとえば、ＲＲＣ開始メッセージへのＲＲＣ応答メッセージで）ＲＲＣ信号４７０を介してＥ−ＲＮＴＩ４６０についてユーザ装置１１０−２に通知することができる。
【００４４】
ＣＣＣＨ上のアップリンクで送信されたＲＲＣメッセージは、ＲＮＣ１２４−１（たとえば、ＭＡＣ−ｃ成端点（termination point））にＩｕｂフレーミング・プロトコル（framing protocol）でトランスポートすることができ、その後、ＲＮＳＡＰアップリンク信号転送指示メッセージを使用して転送することができる。一例では、基地局１２２−１は、Ｃｅｌｌ＿ＦＡＣＨ状態のＥ−ＤＣＨ用のＣＣＣＨ上のアップリンク・メッセージを受信したときにＩｕｂフレーミング・プロトコルのＩｕｂフレームにＥ−ＲＮＴＩ４６０を含めることができ、ＲＮＳＡＰアップリンク信号転送指示メッセージの新しい情報要素にＥ−ＲＮＴＩ４６０を含めることができる。Ｉｕｂフレーミング・プロトコルを使用してＥ−ＲＮＴＩ４６０についてＲＮＣ１２４−１に通知する代わりに、基地局１２２−１は、新しいＮＢＡＰ手順を呼び出すことができ、制御プレーン内のＲＮＣ１２４−１にＥ−ＲＮＴＩ４６０に関する情報を送信することができる。ＮＢＡＰ手順は、第１のＲＲＣメッセージによりユーザ・プレーンで送信されたフレームへのバインディングを含むことができる。
【００４５】
ＣＣＣＨを搬送するＩｕｂフレーム（複数も可）のレイアウトを定義するときに、ＣＣＣＨのセグメント化を考慮することができる。基地局１２２−１は、ＲＲＣ接続要求を搬送するフレームから、ＲＲＣセル更新メッセージを搬送するＣｅｌｌ＿ＦＡＣＨフレーム内のＥ−ＤＣＨ用のＣＣＣＨを差別化することはできない。従って、ユーザ装置１１０−２がＲＲＣ接続を要求するときに無線ネットワーク・サブシステムがアイドル・ユーザ装置をＣｅｌｌ＿ＤＣＨ状態に再構成する場合でも、Ｅ−ＲＮＴＩ４６０は、Ｃｅｌｌ＿ＦＡＣＨ状態のＥ−ＤＣＨ用のＣＣＣＨを使用するときに第１のアップリンクＩｕｂフレームに含める必要がある可能性がある。後方互換性のために、ＲＮＣ１２４−１がユーザ装置１１０−２の状態をＣｅｌｌ＿ＤＣＨ状態に変更することを決定し、基地局１２２−１が無線リンク・セットアップ要求を受信した場合、Ｅ−ＲＮＴＩ４６０は、無線リンク・セットアップ応答に含めることができる。
【００４６】
図４はネットワーク部分４００の模範的なコンポーネントを示しているが、他の諸実施形態では、ネットワーク部分４００は、図４に描写されているものより少ないコンポーネント、異なるコンポーネント、異なる配置のコンポーネント、又は追加のコンポーネントを含むこともできる。さらに他の諸実施形態では、ネットワーク部分４００の１つ又は複数のコンポーネントは、ネットワーク部分４００の１つ又は複数の他のコンポーネントによって実行されるものとして記載されている１つ又は複数の他のタスクを実行することもできる。
【００４７】
図５は、ネットワーク１００の模範的な一部分５００のコンポーネントによって実行可能な模範的なＥ−ＲＮＴＩ解放手順の図を示している。図示の通り、模範的なネットワーク部分５００は、ユーザ装置１１０−２と、基地局１２２−１と、ＲＮＣ１２４−１とを含むことができる。ユーザ装置１１０−２は、たとえば、図１に関連して上述した特徴を含むことができる。基地局１２２−１は、たとえば、図１及び図２に関連して上述した特徴を含むことができる。ＲＮＣ１２４−１は、たとえば、図１及び図３に関連して上述した特徴を含むことができる。
【００４８】
基地局１２２−１はＲＲＣ信号を終了できず、ＲＮＳＡＰ共通トランスポート・チャネル手順を介してＲＮＣ１２４−１と接触していない可能性があるので、基地局１２２−１はユーザ装置１１０−２に関連する状況変化に気付かない可能性がある。たとえば、参照番号５１０によって示されているように、ユーザ装置１１０−２がセルを離れるか及び／又はアイドルになる場合、基地局１２２−１は、ユーザ装置１１０−２がセルを離れる／アイドルになること５１０に気付かない可能性がある。ＵＥ状態変化情報５２０を介して、ユーザ装置１１０−２に関連する状況変化（たとえば、セルを離れる／アイドルになる５１０）をＲＮＣ１２４−１に気付かせることができる。ＵＥ状態変化情報５２０は、ユーザ装置１１０−２に関連する状況情報を含むことができる。
【００４９】
ユーザ装置１１０−２に関連するＥ−ＲＮＴＩは、セル内で固有のものである必要がある可能性がある。ユーザ装置１１０−２がもはやＣｅｌｌ＿ＦＡＣＨ状態、ＵＲＡ＿ＰＣＨ状態、及び／又はＣｅｌｌ＿ＰＣＨ状態ではない場合、ユーザ装置１１０−２に関連するＥ−ＲＮＴＩは、未使用（又は「ハンギング（hanging）」）である可能性があり、解放する必要がある可能性がある。ＲＮＣ１２４−１は、Ｅ−ＲＮＴＩを解放すべきであることを暗示するようなユーザ装置１１０−２に関する状況変化を基地局１２２−１に通知することができる。たとえば、ユーザ装置１１０−２に関連するＥ−ＲＮＴＩを解放すべきであるとＲＮＣ１２４−１が判断した場合、ＲＮＣ１２４−１は、Ｅ−ＲＮＴＩ解放要求５３０を開始することができ、基地局１２２−１にＥ−ＲＮＴＩ解放要求５３０を提供することができる。ＲＮＣ１２４−１が共通トランスポート・チャネル手順によってトリガされたＣＲＮＣである場合、ＲＮＣ１２４−１は、新しい共通ＮＢＡＰ手順を呼び出すことができるか、又はユーザ装置１１０−２に関連するＥ−ＲＮＴＩを解放すべきであることを基地局１２２−１に通知するために新しいＩｕｂフレーミング・プロトコル制御フレームを送信することができる。ＲＮＣ１２４−１がＳＲＮＣである場合、ＲＮＣ１２４−１は、ユーザ装置１１０−２に関連するＥ−ＲＮＴＩを解放すべきであることを基地局１２２−１に通知するためにＲＮＳＡＰ及び／又はＮＢＡＰ上で新しい共通手順を使用することができる。たとえば、ＲＮＣ１２４−１は、ＲＮＳＡＰ上で新しい共通クラス「２」手順を実装することができるか、又は既存の手順（たとえば、情報交換開始／終了手順又はその他の適切な共通手順）を再利用することができる。ユーザ装置１１０−２に関連するＥ−ＲＮＴＩを解放すべきであるという確認応答を基地局１２２−１が受信しない場合、Ｅ−ＲＮＴＩはハンギング（たとえば、解放されない）Ｅ−ＲＮＴＩになる可能性がある。
【００５０】
基地局１２２−１がＥ−ＲＮＴＩ解放要求５３０を受信すると、基地局１２２−１は、参照番号５４０によって示されているように、セル内のユーザ装置１１０−２用のＥ−ＲＮＴＩを除去することができ、（任意選択で）参照番号５５０によって示されているように、Ｅ−ＲＮＴＩの解放の確認応答をＲＮＣ１２４−１に提供することができる。
【００５１】
ＲＮＣ１２４−１が上述のクラス「１」又はクラス「２」手順を使用する場合、失われたダウンリンクＮＢＡＰクラス「２」メッセージは「ハンギング」Ｅ−ＲＮＴＩの指示を提供することができる。これは、定期的クリーンアップによって解決することができる。たとえば、図５に示されている通り、ユーザ装置１１０−２が非アクティブであった（たとえば、時間しきい値より長いか及び／又はセル内の非アクティブ・ユーザ装置の数を定義する他のしきい値より長い）と基地局１２２−１が判断した場合、基地局１２２−１はユーザ装置１１０−２の非アクティブ性の指示５６０を運用及びメンテナンス（Ｏ＆Ｍ：operations and maintenance）システムに提供することができる。ユーザ装置１１０−２がしきい値の１つより長い間、非アクティブであった場合、Ｏ＆Ｍシステムは、基地局１２２−１を介してクリーンアップ手順５７０を開始することができる。クリーンアップ手順５７０は、ユーザ装置１１０−２に関連するＥ−ＲＮＴＩを直接除去するよう、基地局１２２−１に指示することができる。一例では、しきい値は、Ｃｅｌｌ＿ＰＣＨ状態のユーザ装置が非常に長い時間（たとえば、数時間、数日、又はそれより長い間）非アクティブである状況を考慮することができる。
【００５２】
上述の通り、基地局１２２−１は、ユーザ装置がセルを離れるか、アイドル・モードになるか、又はもはやＥ−ＲＮＴＩを使用しないときに気付かない可能性がある。基地局１２２−１はユーザ装置１１０−２用のＥ−ＲＮＴＩについてＲＮＣ１２４−１に通知するので、どのユーザ装置にＥ−ＲＮＴＩが割り振られるか、その結果、どのユーザ装置の状況変化についてモニターする必要があるかをＲＮＣ１２４−１が把握する。一実施形態では、ユーザ装置１１０−２が（たとえば、割り振られたＥ−ＲＮＴＩにより）その状態をアイドル・モードに変更するか、セルを離れるか、又はユーザ装置１１０−２がもはやＣｅｌｌ＿ＦＡＣＨ状態のＥ−ＤＣＨチャネルを使用できないとＲＮＣ１２４−１が判断した場合、ＲＮＣ１２４−１は、ＮＢＡＰを介して、ユーザ装置状況更新を基地局１２２−１に送信することができる。
【００５３】
ＲＮＣ１２４−１が、ユーザ装置１１０−２用のＥ−ＲＮＴＩを除去するよう、基地局１２２−１に要求する前に、ＲＮＣ１２４−１は、（たとえば、ＲＲＣ信号を介して）そのＥ−ＲＮＴＩを使用しないよう、ユーザ装置１１０−２に通知することができる。ＲＮＣ１２４−１は、ユーザ装置１１０−２がＣｅｌｌ＿ＦＡＣＨ状態のＥ−ＤＣＨ上のアップリンク・トランスポートのために割り振られたＥ−ＲＮＴＩをもはや使用できないことを基地局１２２−１に通知するために、以下の手順を使用することができる。ＲＮＣ１２４−１は、ＵＥ状況更新メッセージを基地局１２２−１に送信することができる。ＵＥ状況更新メッセージを受信すると、基地局１２２−１は、Ｅ−ＲＮＴＩに対するユーザ装置１１０−２の関連付けを除去することができ、割り振られたＥ−ＲＮＴＩを開放することができる。Ｅ−ＲＮＴＩが解放されると、基地局１２２−１は、ＲＮＣ１２４−１に対するＵＥ状況更新応答メッセージで応答することができる。表１は、ＮＢＡＰプロトコルのＵＥ状況更新メッセージ・フォーマットの一例を示している。
【表１】
2011517185.tif 000014
【００５４】
図５はネットワーク部分５００の模範的なコンポーネントを示しているが、他の諸実施形態では、ネットワーク部分５００は、図５に描写されているものより少ないコンポーネント、異なるコンポーネント、異なる配置のコンポーネント、又は追加のコンポーネントを含むこともできる。さらに他の諸実施形態では、ネットワーク部分５００の１つ又は複数のコンポーネントは、ネットワーク部分５００の１つ又は複数の他のコンポーネントによって実行されるものとして記載されている１つ又は複数の他のタスクを実行することもできる。
【００５５】
図６は、ネットワーク１００の模範的な一部分６００のコンポーネントによって提供可能な模範的なＥ−ＲＮＴＩ／Ｈ−ＲＮＴＩメッセージングの図を描写している。図示の通り、模範的なネットワーク部分６００は、ユーザ装置１１０−２と、基地局１２２−１と、ＲＮＣ１２４−１と、ＲＮＣ１２４−Ｎとを含むことができる。ユーザ装置１１０−２は、たとえば、図１に関連して上述した特徴を含むことができる。基地局１２２−１は、たとえば、図１及び図２に関連して上述した特徴を含むことができる。ＲＮＣ１２４−１及び１２４−Ｎは、たとえば、図１及び図３に関連して上述した特徴を含むことができる。ＲＮＣ１２４−１はＣＲＮＣ及び／又はＤＲＮＣであり、ＲＮＣ１２４−ＮはＳＲＮＣであると想定することができる。
【００５６】
Ｃｅｌｌ＿ＦＡＣＨ状態の拡張アップリンクを使用してどの専用Ｈ−ＲＮＴＩがユーザ装置（たとえば、ユーザ装置１１０−２）に割り振られるかを基地局１２２−１が把握する必要がある可能性がある。基地局１２２−１は、ユーザ装置１１０−２がＤＴＣＨ／ＤＣＣＨ及びＥ−ＲＮＴＩコンテンション解消を使用してＣｅｌｌ＿ＦＡＣＨ状態のＥ−ＤＣＨにアクセスしようと試みる前に、どの専用Ｈ−ＲＮＴＩがユーザ装置１１０−２に割り振られるかを把握する必要がある可能性がある。
【００５７】
図６に示されている通り、ユーザ装置１１０−２は、ＣＣＣＨ上の基地局１２２−１に第１のメッセージ６１０を提供することができる。第１のメッセージ６１０は、たとえば、ＲＲＣメッセージを含むことができる。基地局１２２−１は、第２のメッセージ６２０（たとえば、Ｉｕｂフレーム）で第１のメッセージ６１０の内容をＲＮＣ１２４−１に転送することができる。第２のメッセージ６２０は、ユーザ装置１１０−２（たとえば、ユーザ装置１１０−２が新しいセルにアクセスするとき）に割り振られたＥ−ＲＮＴＩ（たとえば、Ｅ−ＲＮＴＩ４６０（図４））と、第１のメッセージ６１０に含まれるＲＲＣメッセージとを含むことができる。ＲＮＣ１２４−１が第２のメッセージ６２０（ならびに、たとえば、Ｅ−ＲＮＴＩと、第１のメッセージ６１０に含まれるＲＲＣメッセージ）を受信すると、ＲＮＣ１２４−１は、メッセージ６３０（たとえば、ユーザ装置１１０−２に割り振られた専用Ｈ−ＲＮＴＩを含むもの）と、Ｅ−ＲＮＴＩと、第１のメッセージ６１０に含まれるＲＲＣメッセージとをＲＮＣ１２４−Ｎに提供することができる。メッセージ６３０は、ＲＮＳＡＰアップリンク信号転送指示メッセージ（たとえば、Ｉｕｒの場合）を含むことができる。ＲＮＣ１２４−Ｎは、ＲＲＣメッセージ応答と、専用Ｈ−ＲＮＴＩと、Ｅ−ＲＮＴＩとを含むＲＮＳＡＰメッセージ６４０（たとえば、ＲＮＳＡＰダウンリンク信号転送指示を使用するもの）をＲＮＣ１２４−１に提供することができる。ＲＮＣ１２４−１は、１つのフィールドのＲＲＣメッセージ応答と、他のフィールドの専用Ｈ−ＲＮＴＩと、さらに他のフィールドのＥ−ＲＮＴＩとを含むメッセージ６５０を基地局１２２−１に提供することができる。基地局１２２−１は、メッセージ６５０を受信することができ、ＲＲＣメッセージ応答６６０（たとえば、メッセージ６５０に含まれるＲＲＣメッセージ応答）をユーザ装置１１０−２に提供することができる。ＲＲＣメッセージ応答６６０は、専用Ｈ−ＲＮＴＩとＥ−ＲＮＴＩとを含むことができる。ユーザ装置１１０−２がＲＲＣメッセージ応答６６０を受信すると、ユーザ装置１１０−２は、ＤＴＣＨ／ＤＣＣＨ及びＥ−ＲＮＴＩコンテンション解消を使用してＣｅｌｌ＿ＦＡＣＨ状態のＥ−ＤＣＨにアクセスしようと試みることができる。
【００５８】
しかし、Ｅ−ＲＮＴＩがユーザ装置１１０−２に割り振られる前に、ユーザ装置１１０−２はＣＣＣＨを使用してＣｅｌｌ＿ＦＡＣＨ状態のＥ−ＤＣＨにアクセスすることができる。図７は、Ｅ−ＲＮＴＩ及び専用Ｈ−ＲＮＴＩがこのような状況で割り振られる時期及び場所を描写している。図７は、ネットワーク１００の模範的な一部分７００のコンポーネントによって提供可能な模範的なＥ−ＲＮＴＩ／Ｈ−ＲＮＴＩメッセージングの図を描写している。図示の通り、模範的なネットワーク部分７００は、ユーザ装置１１０−２と、基地局１２２−１と、ＲＮＣ１２４−１と、ＲＮＣ１２４−Ｎとを含むことができる。ユーザ装置１１０−２は、たとえば、図１に関連して上述した特徴を含むことができる。基地局１２２−１は、たとえば、図１及び図２に関連して上述した特徴を含むことができる。ＲＮＣ１２４−１及び１２４−Ｎは、たとえば、図１及び図３に関連して上述した特徴を含むことができる。ＲＮＣ１２４−１はＣＲＮＣ及び／又はＤＲＮＣであり、ＲＮＣ１２４−ＮはＳＲＮＣであると想定することができる。
【００５９】
図７にさらに示されている通り、ランダム・アクセス・チャネル（ＲＡＣＨ）（たとえば、アップリンク・トランスポート・チャネル）手順７０５は、ユーザ装置１１０−２と基地局１２２−１との間で実行することができる。一例では、ＲＡＣＨ手順７０５は、ユーザ装置１１０−２がブロードキャスト制御チャネル（ＢＣＨ）をデコードすること（たとえば、使用可能なＲＡＣＨサブチャネル、スクランブリング・コード、及びシグニチャを決定するため）と、ＲＡＣＨサブチャネルの１つ及びシグニチャの１つを選択することを含むことができる。ユーザ装置１１０−２は、ダウンリンク出力レベルを測定することができ、初期ＲＡＣＨ出力レベルを設定することができ、ＲＡＣＨプリアンブルを基地局１２２−１に送信することができ、基地局１２２−１がＲＡＣＨプリアンブルを検出したかどうかを判断するために取得インジケータ・チャネル（ＡＩＣＨ）をデコードすることができる。ＡＩＣＨ伝送がまったく検出されない場合、ユーザ装置１１０−２は、ＲＡＣＨプリアンブル伝送出力を増加することができ、ＲＡＣＨプリアンブルを基地局１２２−１に再伝送することができる。ＡＩＣＨ伝送が基地局１２２−１から検出されると、ユーザ装置１１０−２は、ＲＡＣＨ伝送のメッセージ部を伝送することができる。
【００６０】
アップリンク同期手順７１０は、ユーザ装置１１０−２と基地局１２２−１との間で実行することができる。アップリンク同期手順７１０は、基地局１２２−１がユーザ装置１１０−２からの信号をモニターすることと、モニターした信号に基づいて伝送時にタイミング調整を行うことを含むことができる。
【００６１】
図７にさらに示されている通り、ユーザ装置１１０−２が参照番号７１５によって示されているようにＣＣＣＨ上のＥ−ＤＣＨにアクセスしようと試みた場合、基地局１２２−１は、参照番号７２０によって示されているように、ユーザ装置１１０−２用のＥ−ＲＮＴＩを割り振ることができる。ユーザ装置１１０−２用のＥ−ＲＮＴＩを割り振った後、基地局１２２−１は、Ｉｕｂフレーミング・プロトコル（ＦＰ）を介して第１のメッセージ７２５（ユーザ装置１１０−２から受信した第１のＲＲＣメッセージを含むもの）をＲＮＣ１２４−１に提供することができる。第１のメッセージ７２５はユーザ装置１１０−２に割り振られたＥ−ＲＮＴＩを含むことができる。ＲＮＣ１２４−１が第１のメッセージ７２５（たとえば、第１のＲＲＣメッセージとＥ−ＲＮＴＩ）を受信すると、ＲＮＣ１２４−１は、参照番号７３０によって示されているように、ユーザ装置１１０−２用の専用Ｈ−ＲＮＴＩを割り振ることができ、アップリンク信号転送指示メッセージ７３５をＲＮＣ１２４−Ｎに提供することができる。アップリンク信号転送指示メッセージ７３５は、第１のＲＲＣメッセージと、割り振られたＥ−ＲＮＴＩと、専用Ｈ−ＲＮＴＩとを含むことができる。
【００６２】
ＲＮＣ１２４−Ｎは、アップリンク信号転送指示メッセージ７３５を受信することができ、ダウンリンク信号転送指示メッセージ７４０をＲＮＣ１２４−１に提供することができる。ダウンリンク信号転送指示メッセージ７４０は、ＲＲＣメッセージ応答と、割り振られたＥ−ＲＮＴＩと、専用Ｈ−ＲＮＴＩとを含むことができる。一実施形態では、メッセージ７３５及び７４０は、ＲＮＳＡＰ共通トランスポート・チャネル７４５を介してＲＮＣ１２４−１とＲＮＣ１２４−Ｎとの間で提供することができる。ＲＮＣ１２４−１は、ダウンリンク信号転送指示メッセージ７４０を受信することができ、Ｉｕｂフレーミング・プロトコル（ＦＰ）を介してメッセージ７５０（たとえば、「ＨＳ−ＤＳＣＨデータ・フレーム＜共通Ｈ−ＲＮＴＩ＞、＜ＲＲＣメッセージ応答＞、＜Ｅ−ＲＮＴＩ＞、＜専用Ｈ−ＲＮＴＩ＞」）を基地局１２２−１に提供することができる。図示の通り、メッセージ７５０は、ＲＲＣメッセージ応答と、割り振られたＥ−ＲＮＴＩと、専用Ｈ−ＲＮＴＩと、その他の情報とを含むことができる。基地局１２２−１は、メッセージ７５０を受信することができ、ＣＣＣＨ上の拡張ＦＡＣＨを介してメッセージ７５５（たとえば、ＲＲＣメッセージ応答と、割り振られたＥ−ＲＮＴＩと、専用Ｈ−ＲＮＴＩとを含むもの）をユーザ装置１１０−２に提供することができる。ユーザ装置１１０−２は、メッセージ７５５を受信することができ、参照番号７６０によって示されているように、割り振られたＥ−ＲＮＴＩに基づいてＤＣＣＨ／ＤＴＣＨ上の第１のコンテンション解消を開始することができる。
【００６３】
専用Ｈ−ＲＮＴＩがダウンリンクＲＲＣメッセージ応答とは無関係の手順で送信される場合、この独立手順による基地局１２２−１内の専用Ｈ−ＲＮＴＩの受信と、ユーザ装置１１０−２によるＲＲＣ応答メッセージの受信との間に競合状態が発生する可能性がある。独立手順の場合、第１のコンテンション解消（たとえば、ユーザ装置１１０−２による）の開始時に、割り振られたＥ−ＲＮＴＩと専用Ｈ−ＲＮＴＩとの関係を基地局１２２−１が受信していないリスクが存在する可能性がある。この結果としては、結果的にフレームが失われることになる不連続受信（ＤＲＸ）手順の妨害を含む可能性がある。
【００６４】
しかし、このような競合状態は回避することができる。たとえば、ＮＢＡＰ（又はＩｕｂ）フレーミング・プロトコル制御メッセージは競合状態を発生する可能性のある独立手順であると想定することができる。ＲＲＣメッセージ応答を搬送するＩｕｂフレームのヘッダを使用する場合、競合状態を回避することができる。ダウンリンクにより使用すべきＨ−ＲＮＴＩ（たとえば、共通Ｈ−ＲＮＴＩ）はメッセージ７５０（たとえば、ＨＳ−ＤＳＣＨデータ・フレーム・タイプ２メッセージ）に含めることができる。専用Ｈ−ＲＮＴＩ及び割り振られたＥ−ＲＮＴＩがメッセージ７５０に（たとえば、メッセージ７５０のスペア拡張部分に）含まれる場合、基地局１２２−１は、割り振られたＥ−ＲＮＴＩと専用Ｈ−ＲＮＴＩを関連付けることができる。従って、専用Ｈ−ＲＮＴＩは、ＲＲＣメッセージ（たとえば、フレーミング・プロトコル・フレームのペイロードとして）と、フレーム・プロトコル・ヘッダの両方で搬送することができる。割り振られたＥ−ＲＮＴＩ及び専用Ｈ−ＲＮＴＩは、ＲＲＣ手順の完了後にユーザ装置１１０−２がＣｅｌｌ＿ＦＡＣＨ状態、ＵＲＡ＿ＰＣＨ状態、及び／又はＣｅｌｌ＿ＰＣＨ状態になる場合に含めることができる。換言すれば、ダウンリンクＲＲＣメッセージがユーザ装置１１０−２をＣｅｌｌ＿ＤＣＨに再構成する場合、割り振られたＥ−ＲＮＴＩ及び専用Ｈ−ＲＮＴＩが含まれない可能性がある。
【００６５】
一実施形態では、割り振られたＨ−ＲＮＴＩについて基地局１２２−１に通知するために、図５に関連して上述したＮＢＡＰクラス「２」手順を使用することができる。Ｃｅｌｌ＿ＦＡＣＨ状態のＥ−ＤＣＨのＤＲＸ及びその他のレイヤ２処理のために選択された方法次第で、最初のコンテンション解消時に（たとえば、Ｅ−ＲＮＴＩに基づいて）基地局１２２−１における専用Ｈ−ＲＮＴＩの認識の欠落は許容できる可能性がある。このような場合、ＮＢＡＰクラス「２」手順を選択することができる。
【００６６】
ＲＮＣ１２４−１が専用Ｈ−ＲＮＴＩを新しいＨ−ＲＮＴＩに変更する場合、新しい専用Ｈ−ＲＮＴＩは、新しい専用Ｈ−ＲＮＴＩについてユーザ装置１１０−２に通知するダウンリンクＲＲＣメッセージと関連付けることができる。ＲＮＣ１２４−１は、Ｉｕｂフレームのヘッダに新しい情報要素（たとえば、Ｅ−ＲＮＴＩ及び新しい専用Ｈ−ＲＮＴＩ）を含めることができ、基地局１２２−１は、ユーザ装置１１０−２がＤＴＣＨ／ＤＣＣＨを使用するときにＩｕｂフレーム・ヘッダをチェックすることができる。他の実施形態では、ＲＮＣ１２４−１が専用Ｈ−ＲＮＴＩを変更すると、基地局１２２−１は、たとえば、ＮＢＡＰメッセージＵＥ状況指示メッセージを使用して、新しい専用Ｈ−ＲＮＴＩについて通知される可能性がある。
【００６７】
ＲＮＣ１２４−１は、どの専用Ｈ−ＲＮＴＩがユーザ装置１１０−２に割り振られるかについて基地局１２２−１に情報を送信することができ、ユーザ装置１１０−２はＥ−ＲＮＴＩによって識別することができる。Ｃｅｌｌ＿ＦＡＣＨ状態のＥ−ＤＣＨのＤＲＸ及びその他のレイヤ２処理のために選択された方法次第で、ＮＢＡＰ又はＩｕｂフレーミング・プロトコルのいずれかを使用することができる。たとえば、ダウンリンクＩｕｂフレームは、拡張ＲＡＣＨにより、Ｃｅｌｌ＿ＦＡＣＨ状態、ＵＲＡ＿ＰＣＨ状態、及び／又はＣｅｌｌ＿ＰＣＨ状態のユーザ装置に新しいか又は変更された専用Ｈ−ＲＮＴＩを送信するＲＲＣメッセージを搬送することができる。Ｉｕｂフレーム・プロトコル・ヘッダは、新しい専用Ｈ−ＲＮＴＩならびにユーザ装置に割り振られたＥ−ＲＮＴＩを含むことができる。他の例では、新しい専用Ｈ−ＲＮＴＩならびにユーザ装置１１０−２に割り振られたＥ−ＲＮＴＩを信号で伝えるために、ＮＢＡＰクラス「２」手順を使用することができる。代わって及び／又は加えて、割り振られたＨ−ＲＮＴＩについて基地局１２２−１に通知するために、ＮＢＡＰクラス「１」手順を使用することもできる。基地局１２２−１からＲＮＣ１２４−１に確認応答を送信することができる。従って、ＲＮＣ１２４−１は新しい専用Ｈ−ＲＮＴＩの受信を監視することができ、ＮＢＡＰメッセージ喪失のリスクを解消することができる。
【００６８】
図６及び図７はネットワーク部分６００及び７００の模範的なコンポーネントを示しているが、他の諸実施形態では、ネットワーク部分６００及び７００は、図６及び図７に描写されているものより少ないコンポーネント、異なるコンポーネント、異なる配置のコンポーネント、又は追加のコンポーネントを含むこともできる。さらに他の諸実施形態では、ネットワーク部分６００及び７００の１つ又は複数のコンポーネントは、ネットワーク部分６００及び７００の１つ又は複数の他のコンポーネントによって実行されるものとして記載されている１つ又は複数の他のタスクを実行することもできる。
【００６９】
図８は、本明細書に記載されている諸実施形態によりＥ−ＲＮＴＩを解放するための模範的なプロセス８００の流れ図を描写している。一実施形態では、プロセス８００は、基地局１２２−１及びＲＮＣ１２４−１によって実行することができる。他の諸実施形態では、プロセス８００の一部又は全部は、他のデバイス又は複数デバイスのグループ（たとえば、基地局１２２−１及びＲＮＣ１２４−１と通信する）と組み合わせて基地局１２２−１及びＲＮＣ１２４−１によって実行することができる。
【００７０】
図８に示されている通り、プロセス８００は、ＲＮＣ１２４−１を介してＣｅｌｌ＿ＦＡＣＨ状態又はＣｅｌｌ＿ＰＣＨ状態のユーザ装置に関する状態変化を識別すること（ブロック８１０）と、ＲＮＣ１２４−１を介してユーザ装置に関連するＥ−ＲＮＴＩに関する解放要求を開始すること（ブロック８２０）とを含むことができる。たとえば、図５に関連して上述した諸実施形態では、ＵＥ状態変化情報５２０を介してユーザ装置１１０−２に関連する状況変化（たとえば、セルを離れる／アイドルになる５１０）をＲＮＣ１２４−１に気付かせることができる。ＲＮＣ１２４−１は、Ｅ−ＲＮＴＩを解放すべきであることを暗示するようなユーザ装置１１０−２に関する状況変化を基地局１２２−１に通知することができる。一例では、ユーザ装置１１０−２に関連するＥ−ＲＮＴＩを解放すべきであるとＲＮＣ１２４−１が判断した場合、ＲＮＣ１２４−１は、Ｅ−ＲＮＴＩ解放要求５３０を開始することができ、基地局１２２−１にＥ−ＲＮＴＩ解放要求５３０を提供することができる。
【００７１】
図８に戻ると、基地局１２２−１はＣｅｌｌ＿ＦＡＣＨ状態又はＣｅｌｌ＿ＰＣＨ状態のユーザ装置に関連するＥ−ＲＮＴＩを開放することができ（ブロック８３０）、基地局１２２−１は（任意選択で）ユーザ装置に関連するＥ−ＲＮＴＩの解放を確認することができ（ブロック８４０）、ＲＮＣ１２４−１は（任意選択で）Ｅ−ＲＮＴＩ解放の確認応答を受信することができる（ブロック８５０）。たとえば、図５に関連して上述した諸実施形態では、基地局１２２−１がＥ−ＲＮＴＩ解放要求５３０を受信すると、基地局１２２−１は、参照番号５４０によって示されているように、セル内のユーザ装置１１０−２用のＥ−ＲＮＴＩを除去することができ、（任意選択で）参照番号５５０によって示されているように、Ｅ−ＲＮＴＩの解放の確認応答をＲＮＣ１２４−１に提供することができる。
【００７２】
図９は、本明細書に記載されている諸実施形態により非アクティブ・ユーザ装置に関連するＥ−ＲＮＴＩを除去するための模範的なプロセス９００の流れ図を示している。一実施形態では、プロセス９００は、基地局１２２−１によって実行することができる。他の諸実施形態では、プロセス９００の一部又は全部は、他のデバイス又は複数デバイスのグループ（たとえば、基地局１２２−１と通信する）と組み合わせて基地局１２２−１によって実行することができる。
【００７３】
図９に示されている通り、プロセス９００は、Ｃｅｌｌ＿ＦＡＣＨ状態のユーザ装置が非アクティブであると判断すること（ブロック９１０）と、非アクティブ・ユーザ装置の指示を運用及びメンテナンス（Ｏ＆Ｍ）システムに提供し、Ｏ＆Ｍシステムがクリーンアップ手順を開始して非アクティブ・ユーザ装置に関連するＥ−ＲＮＴＩを除去すること（ブロック９２０）とを含むことができる。たとえば、図５に関連して上述した諸実施形態では、ユーザ装置１１０−２が非アクティブであった（たとえば、時間しきい値より長いか及び／又はセル内の非アクティブ・ユーザ装置の数を定義する他のしきい値より長い）と基地局１２２−１が判断した場合、基地局１２２−１はユーザ装置１１０−２の非アクティブ性の指示５６０を運用及びメンテナンス（Ｏ＆Ｍ）システムに提供することができる。ユーザ装置１１０−２がしきい値の１つより長い間、非アクティブであった場合、Ｏ＆Ｍシステムは、基地局１２２−１を介してクリーンアップ手順５７０を開始することができる。クリーンアップ手順５７０は、ユーザ装置１１０−２に関連するＥ−ＲＮＴＩを直接除去するよう、基地局１２２−１に指示することができる。
【００７４】
図１０は、本明細書に記載されている諸実施形態によりＥ−ＲＮＴＩ／Ｈ−ＲＮＴＩメッセージングを提供するための模範的なプロセス１０００の流れ図を描写している。一実施形態では、プロセス１０００は、基地局１２２−１及びＲＮＣ１２４−１によって実行することができる。他の諸実施形態では、プロセス１０００の一部又は全部は、他のデバイス又は複数デバイスのグループ（たとえば、基地局１２２−１及びＲＮＣ１２４−１と通信する）と組み合わせて基地局１２２−１及びＲＮＣ１２４−１によって実行することができる。
【００７５】
図１０に示されている通り、プロセス１０００は、基地局１２２−１を介して、アイドル状態、Ｃｅｌｌ＿ＦＡＣＨ状態、ＵＲＡ＿ＰＣＨ状態、及び／又はＣｅｌｌ＿ＰＣＨ状態のユーザ装置から第１のメッセージを受信すること（ブロック１０１０）と、基地局１２２−１を介して、第２のメッセージ（Ｅ−ＲＮＴＩと、第１のメッセージを介して受信したＲＲＣメッセージとを含むもの）をＲＮＣ１２４−１に提供すること（ブロック１０２０）と、ＲＮＣ１２４−１を介して、第２のＲＲＣメッセージを受信すること（ブロック１０３０）とを含むことができる。たとえば、図６に関連して上述した諸実施形態では、ユーザ装置１１０−２は、ＣＣＣＨ上の基地局１２２−１に第１のメッセージ６１０を提供することができる。第１のメッセージ６１０は、たとえば、ＲＲＣメッセージを含むことができる。基地局１２２−１は、第２のメッセージ６２０（たとえば、Ｉｕｂフレーム）で第１のメッセージ６１０の内容をＲＮＣ１２４−１に転送することができる。第２のメッセージ６２０は、ユーザ装置１１０−２（たとえば、ユーザ装置１１０−２が新しいセルにアクセスするとき）に割り振られたＥ−ＲＮＴＩ（たとえば、Ｅ−ＲＮＴＩ４６０（図４））と、第１のメッセージ６１０に含まれるＲＲＣメッセージとを含むことができる。
【００７６】
図１０に戻ると、ＲＮＣ１２４−１は、ＳＲＮＣにメッセージ（拡張Ｃｅｌｌ＿ＦＡＣＨに関する専用Ｈ−ＲＮＴＩと、Ｅ−ＲＮＴＩと、ＲＲＣメッセージとを含むもの）を提供することができ（ブロック１０４０）、ＳＲＮＣからＲＮＳＡＰメッセージ（ＲＲＣメッセージ応答と、Ｅ−ＲＮＴＩと、専用Ｈ−ＲＮＴＩとを含むもの）を受信することができ（ブロック１０５０）、メッセージ（ＲＲＣメッセージ応答と、Ｅ−ＲＮＴＩと、専用Ｈ−ＲＮＴＩとを含むもの）を基地局１２２−１に提供することができる（ブロック１０６０）。たとえば、図６に関連して上述した諸実施形態では、ＲＮＣ１２４−１が第２のメッセージ６２０（ならびに、たとえば、Ｅ−ＲＮＴＩと、第１のメッセージ６１０に含まれるＲＲＣメッセージ）を受信すると、ＲＮＣ１２４−１は、メッセージ６３０（たとえば、ユーザ装置１１０−２に割り振られた専用Ｈ−ＲＮＴＩを含むもの）と、Ｅ−ＲＮＴＩと、第１のメッセージ６１０に含まれるＲＲＣメッセージとをＲＮＣ１２４−Ｎに提供することができる。メッセージ６３０は、ＲＮＳＡＰアップリンク信号転送指示メッセージ（たとえば、Ｉｕｒの場合）を含むことができる。ＲＮＣ１２４−Ｎは、ＲＲＣメッセージ応答と、専用Ｈ−ＲＮＴＩと、Ｅ−ＲＮＴＩとを含むＲＮＳＡＰメッセージ６４０（たとえば、ＲＮＳＡＰダウンリンク信号転送指示を使用するもの）をＲＮＣ１２４−１に提供することができる。ＲＮＣ１２４−１は、１つのフィールドのＲＲＣメッセージ応答と、他のフィールドの専用Ｈ−ＲＮＴＩと、さらに他のフィールドのＥ−ＲＮＴＩとを含むメッセージ６５０を基地局１２２−１に提供することができる。
【００７７】
図１０にさらに示されている通り、基地局１２２−１は、メッセージ（ＲＲＣメッセージ応答と、Ｅ−ＲＮＴＩと、専用Ｈ−ＲＮＴＩとを含むもの）をＲＮＣ１２４−１から受信することができ（ブロック１０７０）、ＲＲＣメッセージ応答をユーザ装置に提供することができる（ブロック１０８０）。たとえば、図６に関連して上述した諸実施形態では、基地局１２２−１は、メッセージ６５０を受信することができ、ＲＲＣメッセージ応答６６０（たとえば、メッセージ６５０に含まれるＲＲＣメッセージ応答）をユーザ装置１１０−２に提供することができる。ＲＲＣメッセージ応答６６０は、専用Ｈ−ＲＮＴＩとＥ−ＲＮＴＩとを含むことができる。ユーザ装置１１０−２がＲＲＣメッセージ応答６６０を受信すると、ユーザ装置１１０−２は、ＤＴＣＨ／ＤＣＣＨ及びＥ−ＲＮＴＩコンテンション解消を使用してＣｅｌｌ＿ＦＡＣＨ状態のＥ−ＤＣＨにアクセスしようと試みることができる。
【００７８】
本明細書に記載されている諸実施形態は、基地局が未使用のＥ−ＲＮＴＩを除去（又は解放）できるようにし、Ｃｅｌｌ＿ＦＡＣＨ状態のユーザ装置のためのアップリンク・チャネルとダウンリンク・チャネルの関係を基地局に気付かせることができる。本明細書に記載されている諸実施形態は、セル内のユーザ装置に関するＥ−ＲＮＴＩの固有の割り振りを行った後、未使用のＥ−ＲＮＴＩを除去（又は解放）することができ、Ｃｅｌｌ＿ＦＡＣＨ状態のＥ−ＤＣＨを使用してユーザ装置を制御している基地局に、専用Ｈ−ＲＮＴＩとＥ−ＲＮＴＩとの関係を配布することができる。さらに、本明細書に記載されている諸実施形態は、Ｃｅｌｌ＿ＦＡＣＨ状態のユーザ装置のためのアップリンク・チャネルとダウンリンク・チャネルの関係を基地局に提供し、基地局が（たとえば、ＤＲＸ及びその他の無線チャネル処理のために）その関係に気付くようにすることができる。
【００７９】
本明細書に記載されている諸実施形態は、例示及び説明を提供するものであるが、網羅するため又は開示された正確な形式に実装例を限定するためのものではない。変更例及び変形例は上記の教示を考慮すれば可能であり、実装例の実施から取得することもできる。たとえば、図８〜図１０に関して一連のブロックが記載されているが、他の諸実施形態ではブロックの順序を変更することができる。さらに、非従属ブロックを並行して実行することもできる。
【００８０】
上述の通り、模範的な諸実施形態は、図面に示されている実装例において多種多様な形のソフトウェア、ファームウェア、及びハードウェアで実装することができる。本明細書に記載されている模範的な諸実施形態を実装するために使用される実際のソフトウェア・コード又は専用制御ハードウェアは本発明を制限するものではない。従って、模範的な諸実施形態の動作及び挙動は特定のソフトウェア・コードに無関係に記載されており、本明細書の説明に基づいて模範的な諸実施形態を実装するためのソフトウェア及び制御ハードウェアを設計できることは言うまでもない。
【００８１】
特定の組み合わせの特徴が特許請求の範囲に列挙されているか及び／又は本明細書に開示されている場合でも、これらの組み合わせは本発明を限定するためのものではない。実際には、これらの特徴の多くは、特許請求の範囲に具体的に列挙されていないか及び／又は本明細書に開示されていない方法で組み合わせることができる。
【００８２】
本明細書で使用する場合、「含む（comprises/comprising）」という用語は、表明された特徴、整数、ステップ、又はコンポーネントの存在を指定するものと解釈されるが、１つ又は複数のその他の特徴、整数、ステップ、コンポーネント、あるいはそのグループの存在又は追加を排除するものではないことは強調すべきである。
【００８３】
本出願の説明で使用する要素、動作、又は命令はいずれも、そのように明示的に記載されていない限り、本発明にとって重大又は本質的なものであると解釈してはならない。また、本明細書で使用する冠詞「ａ」は、１つ又は複数の項目を含めるためのものである。１つの項目のみを意図する場合、「１つ（one）」という用語又は同様の表現を使用する。さらに、「基づく（based on）」という語句は、他に明示的な表明がない限り、「少なくとも一部分は基づく（based, at least in part, on）」ことを意味するためのものである。
【手続補正２】
【補正対象書類名】特許請求の範囲
【補正対象項目名】全文
【補正方法】変更
【補正の内容】
【特許請求の範囲】
【請求項１】
複数の命令を保管するためのメモリ（３１４）と、
処理装置（３１２）であって、セル・フォワード・アクセス・チャネル、Ｃｅｌｌ＿ＦＡＣＨ状態のユーザ装置（１１０）への拡張専用チャネル無線ネットワーク一時ＩＤ、Ｅ−ＲＮＴＩ（４６０）の割り振りに関する情報を受信するために前記メモリ内の命令を実行する、処理装置（３１２）と、
を含み、
前記処理装置が、
前記ユーザ装置（１１０）に関連する状態変化（５２０）に関する情報を受信し、
前記状態変化（５２０）に基づいて前記Ｅ−ＲＮＴＩ（４６０）を解放できると判断し、前記Ｅ−ＲＮＴＩが前記ユーザ装置（１１０）によってもはや使用されないことを前記状態変化が暗示し、
前記状態変化（５２０）に応答して前記Ｅ−ＲＮＴＩ（４６０）を解放し、その結果、他のユーザ装置（１１０）が前記Ｅ−ＲＮＴＩ（４６０）を使用できるようにするための要求（５３０）を基地局（１２２）に提供する
ためにさらに配置されることを特徴とする、無線ネットワーク・コントローラ、ＲＮＣデバイス（１２４）。
【請求項２】
前記処理装置（３１２）が、
前記基地局（１２２）から前記Ｅ−ＲＮＴＩ（４６０）の解放の確認応答を受信する
ために前記メモリ内の命令をさらに実行する、請求項１記載のデバイス（１２４）。
【請求項３】
前記処理装置（３１２）が、
ノードＢアプリケーション部、ＮＢＡＰを使用して前記Ｅ−ＲＮＴＩ（４６０）を解放するための前記要求（５３０）を前記基地局（１２２）に提供する
ために前記メモリ（３１４）内の命令をさらに実行する、請求項１記載のデバイス（１２４）。
【請求項４】
前記処理装置（３１２）が、
高速ダウンリンク共用チャネル無線ネットワーク・トランザクションＩＤ、Ｈ−ＲＮＴＩ（６２０）と前記Ｅ−ＲＮＴＩ（４６０）とを含むメッセージを生成し、
前記基地局（１２２）に前記メッセージを提供する
ために前記メモリ（３１４）内の命令をさらに実行する、請求項１記載のデバイス（１２４）。
【請求項５】
前記Ｈ−ＲＮＴＩ（６２０）が前記Ｅ−ＲＮＴＩ（４６０）のピアである、請求項４記載のデバイス（１２４）。
【請求項６】
基地局（１２２）と無線ネットワーク・コントローラ（１２４）とを含み、前記基地局（１２２）がセル・フォワード・アクセス・チャネル、Ｃｅｌｌ＿ＦＡＣＨ状態のユーザ装置（１１０）によるセル・アクセスに関する情報（４５０）を受信し、セル・アクセスに関する前記情報（４５０）を受信したときに前記Ｃｅｌｌ＿ＦＡＣＨ状態の前記ユーザ装置（１１０）用の拡張専用チャネル無線ネットワーク一時ＩＤ、Ｅ−ＲＮＴＩ（４６０）を割り振る無線環境において、
前記無線ネットワーク・コントローラ（１２４）により、前記Ｃｅｌｌ＿ＦＡＣＨ状態の前記ユーザ装置（１１０）への前記Ｅ−ＲＮＴＩ（４６０）の割り振りに関する情報を受信するステップを含み、
前記無線ネットワーク・コントローラ（１２４）により、前記ユーザ装置（１１０）と前記無線ネットワーク・コントローラ（１２４）との間の信号に関する状態情報を受信するステップと、
前記無線ネットワーク・コントローラ（１２４）により、前記状態情報に応答して前記Ｅ−ＲＮＴＩ（４６０）を解放し、前記Ｅ−ＲＮＴＩが前記ユーザ装置（１１０）によってもはや使用されないことを前記状態情報が暗示し、その結果、他のユーザ装置（１１０）が前記Ｅ−ＲＮＴＩ（４６０）を使用できるようにするための要求（５３０）を前記無線基地局（１２２）に提供するステップと、
をさらに含むことを特徴とする、方法。
【請求項７】
前記無線ネットワーク・コントローラ（１２４）により、状態情報を受信することが、
前記無線ネットワーク・コントローラ（１２４）により、前記ユーザ装置（１１０）に関連する状態変化（５２０）を識別すること
を含む、請求項６記載の方法。
【請求項８】
前記状態変化（５２０）が、
前記Ｃｅｌｌ＿ＦＡＣＨ状態の前記ユーザ装置（１１０）がセルを離れること、又は
前記Ｃｅｌｌ＿ＦＡＣＨ状態の前記ユーザ装置（１１０）がアイドル状態に入ること
のうちの少なくとも１つを含む、請求項７記載の方法。
【請求項９】
前記基地局（１２２）により、前記Ｃｅｌｌ＿ＦＡＣＨ状態の前記ユーザ装置（１１０）に関連する前記Ｅ−ＲＮＴＩ（４６０）の前記解放の確認応答（５５０）を生成することと、
前記無線ネットワーク・コントローラ（１２４）により、前記Ｅ−ＲＮＴＩ（４６０）の前記解放の前記確認応答（５５０）を受信すること
をさらに含む、請求項６記載の方法。
【請求項１０】
前記基地局（１２２）により、前記Ｃｅｌｌ＿ＦＡＣＨ状態の前記ユーザ装置（１１０）が非アクティブであると判断することと、
前記基地局（１２２）により、非アクティブ性の指示を運用及びメンテナンス、Ｏ＆Ｍシステムに提供することと、
前記非アクティブ性の指示を受信したときに、前記Ｏ＆Ｍシステムにより、クリーンアップ手順（５７０）を開始して、前記Ｃｅｌｌ＿ＦＡＣＨ状態の前記ユーザ装置（１１０）に関連する前記Ｅ−ＲＮＴＩ（４６０）を除去すること
をさらに含む、請求項６記載の方法。
【請求項１１】
前記基地局（１２２）により、第１のメッセージ（６１０）を前記無線ネットワーク・コントローラ（１２４）に提供し、前記第１のメッセージ（６１０）が前記Ｅ−ＲＮＴＩ（４６０）を含むことと、
前記無線ネットワーク・コントローラ（１２４）により、専用高速ダウンリンク共用チャネル無線ネットワーク・トランザクションＩＤ、Ｈ−ＲＮＴＩ（６２０）と前記Ｅ−ＲＮＴＩ（４６０）とを含む第２のメッセージ（６３０）を生成することと、
前記無線ネットワーク・コントローラ（１２４）により、前記第２のメッセージ（６３０）を前記基地局（１２２）に提供すること
をさらに含む、請求項６記載の方法。
【請求項１２】
ノードＢアプリケーション部、ＮＢＡＰ又はＩｕｂデータ・フレームを使用して、前記無線ネットワーク・コントローラ（１２４）により、前記第２のメッセージ（６３０）を前記基地局（１２２）に提供することと、
前記基地局（１２２）により、前記第２のメッセージ（６３０）に含まれる第３のメッセージ（６４０）を前記Ｃｅｌｌ＿ＦＡＣＨ状態の前記ユーザ装置（１１０）に提供すること
をさらに特徴とする、請求項１１記載の方法。
【請求項１３】
前記Ｈ−ＲＮＴＩ（６２０）が前記Ｅ−ＲＮＴＩ（４６０）のピアである、請求項１１記載の方法。
【請求項１４】
ノードＢアプリケーション部、ＮＢＡＰを使用して、前記無線ネットワーク・コントローラ（１２４）により、前記要求（５３０）を前記基地局（１２２）に提供すること
をさらに特徴とする、請求項６記載の方法。
【請求項１５】
セル・フォワード・アクセス・チャネル、Ｃｅｌｌ＿ＦＡＣＨ状態のユーザ装置（１１０）によるセル・アクセスに関する情報（４５０）を受信し、セル・アクセスに関する前記情報（４５０）を受信したときに前記Ｃｅｌｌ＿ＦＡＣＨ状態の前記ユーザ装置（１１０）用の拡張専用チャネル無線ネットワーク一時ＩＤ、Ｅ−ＲＮＴＩ（４６０）を割り振るための基地局（１２２）を含み、
前記Ｅ−ＲＮＴＩ（４６０）を含む第１のメッセージ（６１０）を前記基地局（１２２）から受信し、専用高速ダウンリンク共用チャネル無線ネットワーク・トランザクションＩＤ、Ｈ−ＲＮＴＩ（６２０）及び前記Ｅ−ＲＮＴＩ（４６０）を含む第２のメッセージ（６３０）を生成し、前記第２のメッセージ（６３０）を前記基地局（１２２）に提供するために配置された無線ネットワーク・コントローラ、ＲＮＣ（１２４）をさらに含むことを特徴とし、
前記ＲＮＣ（１２４）がさらに、
前記ユーザ装置（１１０）に関連する状態変化（５２０）に関する情報を受信し、
前記状態変化（５２０）に基づいて前記Ｅ−ＲＮＴＩ（４６０）を解放できると判断し、前記Ｅ−ＲＮＴＩが前記ユーザ装置（１１０）によってもはや使用されないことを前記状態変化が暗示し、
前記状態変化（５２０）に応答して前記Ｅ−ＲＮＴＩ（４６０）を解放し、その結果、他のユーザ装置（１１０）が前記Ｅ−ＲＮＴＩ（４６０）を使用できるようにするための要求（５３０）を前記基地局（１２２）に提供する
ために配置される、システム。
【請求項１６】
前記基地局（１２２）がさらに、
前記要求（５３０）に基づいて前記Ｃｅｌｌ＿ＦＡＣＨ状態の前記ユーザ装置（１１０）に関連する前記Ｅ−ＲＮＴＩ（４６０）を解放し、
前記Ｃｅｌｌ＿ＦＡＣＨ状態の前記ユーザ装置（１１０）に関連する前記Ｅ−ＲＮＴＩ（４６０）の解放の確認応答を前記ＲＮＣ（１２４）に提供する
ために配置される、請求項１５記載のシステム。
【請求項１７】
前記基地局（１２２）がさらに、
前記Ｃｅｌｌ＿ＦＡＣＨ状態の前記ユーザ装置（１１０）が非アクティブであると判断し、
非アクティブ性の指示を運用及びメンテナンス、Ｏ＆Ｍシステムに提供し、前記Ｏ＆Ｍシステムがクリーンアップ手順（５７０）を開始して、前記Ｃｅｌｌ＿ＦＡＣＨ状態の前記ユーザ装置（１１０）に関連する前記Ｅ−ＲＮＴＩ（４６０）を除去するように構成される
ために配置される、請求項１５記載のシステム。
【請求項１８】
複数の命令を保管するためのメモリ（２３４）と、
処理装置（２３２）であって、セル・フォワード・アクセス・チャネル、Ｃｅｌｌ＿ＦＡＣＨ状態のユーザ装置（１１０）によるセル・アクセスに関する情報（４５０）を受信し、セル・アクセスに関する前記情報（４５０）を受信したときに前記Ｃｅｌｌ＿ＦＡＣＨ状態の前記ユーザ装置（１１０）用の拡張専用チャネル無線ネットワーク一時ＩＤ、Ｅ−ＲＮＴＩ（４６０）を割り振る、ために前記メモリ内の命令を実行する、処理装置（３１２）と、
を含み、
前記処理装置が、
前記Ｅ−ＲＮＴＩ（４６０）を含む第１のメッセージ（６１０）を無線ネットワーク・コントローラ（ＲＮＣ）（１２４）に提供し、
専用高速ダウンリンク共用チャネル無線ネットワーク・トランザクションＩＤ、Ｈ−ＲＮＴＩ（６２０）及び前記Ｅ−ＲＮＴＩ（４６０）を含む第２のメッセージ（６３０）を前記無線ネットワーク・コントローラ、ＲＮＣ（１２４）から受信し、
前記Ｅ−ＲＮＴＩが前記ユーザ装置（１１０）によってもはや使用されないことを暗示する状態変化（５２０）に応答して前記Ｅ−ＲＮＴＩ（４６０）を解放し、その結果、他のユーザ装置（１１０）が前記Ｅ−ＲＮＴＩ（４６０）を使用できるようにするための要求（５３０）を前記無線ネットワーク・コントローラ（ＲＮＣ）（１２４）から受信するためにさらに配置されることを特徴とする、基地局（１２２）。
【国際調査報告】
2011517185.tif 000015
2011517185.tif 000016